(57)【特許請求の範囲】
【請求項１】
第１のノード内に配置される同期信号送信装置であって、当該同期信号送信装置は、
第１のタイプのサブフレームを送信するように構成された送信モジュールであって、該第１のタイプのサブフレームは、物理ダウンリンク共有チャネルＰＤＳＣＨおよび第１の同期チャネルを含み、前記第１の同期チャネルは、第１の一次同期信号ＰＳＳおよび第１の二次同期信号ＳＳＳを含み、前記第１のＰＳＳおよび前記第１のＳＳＳは、前記第１のＰＳＳおよび前記第１のＳＳＳを受信する第２のノードが前記第１のノードと同期することを可能にするように使用される、該送信モジュールと、
前記第１のタイプのサブフレームを送信することから第２のタイプのサブフレームを送信することに切り替わるように前記送信モジュールを制御するように構成された処理モジュールと
を備え、
前記送信モジュールは、前記処理モジュールの制御下で前記第２のタイプのサブフレームを送信するようにさらに構成され、前記第２のタイプのサブフレームは、物理アップリンク共有チャネルＰＵＳＣＨおよび第２の同期チャネルを含み、前記第２の同期チャネルは、第２のＰＳＳまたは第２のＳＳＳを含み、前記第２のＰＳＳまたは前記第２のＳＳＳは、前記第２のＰＳＳまたは前記第２のＳＳＳを受信する前記第２のノードが前記第１のノードとの同期を保つことを可能にするように使用され、前記第２のＰＳＳは、前記第１のＰＳＳに従って生成され、前記第２のＳＳＳは、前記第１のＳＳＳに従って生成されることを特徴とする装置。
【請求項２】
前記送信モジュールは、前記第１のタイプのサブフレームを送信するように特に構成され、前記第１のタイプのサブフレームは、前記ＰＤＳＣＨおよび前記第１の同期チャネルを含み、前記第１の同期チャネルは、前記第１のタイプのサブフレーム内に定期的に位置し、また前記第２のタイプのサブフレームを送信し、前記第２のタイプのサブフレームは、前記ＰＵＳＣＨおよび前記第２の同期チャネルを含み、前記第２の同期チャネルは、前記第２のタイプのサブフレーム内に定期的に位置することを特徴とする請求項１に記載の装置。
【請求項３】
前記処理モジュールは、前記第２のＰＳＳによって使用されるシーケンス、変調および符号化フォーマット、ならびに周波数領域リソースロケーションが、前記第１のＰＳＳによって使用されるものと一致しているという規則に従って前記第２のＰＳＳを生成し、および、前記第２のＳＳＳによって使用されるシーケンス、変調および符号化フォーマット、ならびに周波数領域リソースロケーションが、前記第１のＳＳＳによって使用されるものと一致しているという規則に従って前記第２のＳＳＳを生成する、ようにさらに構成されたことを特徴とする請求項１または２に記載の装置。
【請求項４】
前記第２のタイプのサブフレームが時分割二重ＴＤＤ方式で伝送される場合、前記送信モジュールによって送信される前記第２のＰＳＳまたは前記第２のＳＳＳは、前記第２のタイプのサブフレームのアップリンクパイロットタイムスロットＵｗＰＴＳシンボル内に位置することを特徴とする請求項１乃至３のいずれか１つに記載の装置。
【請求項５】
前記第２のタイプのサブフレームが周波数分割二重ＦＤＤ方式で伝送される場合、前記送信モジュールによって送信される前記第２のＰＳＳまたは前記第２のＳＳＳは、前記第２のタイプのサブフレームの最後のシンボル内に位置することを特徴とする請求項１乃至３のいずれか１つに記載の装置。
【請求項６】
第２のノード内に配置される同期信号受信装置であって、当該同期信号受信装置は、
第１の一次同期信号ＰＳＳおよび第１の二次同期信号ＳＳＳを受信するように構成された受信モジュールであって、前記第１のＰＳＳおよび前記第１のＳＳＳは、第１のノードによって送信される第１のタイプのサブフレーム内に位置し、前記第１のタイプのサブフレームは、物理ダウンリンク共有チャネルＰＤＳＣＨおよび第１の同期チャネルを含み、
前記第１の同期チャネルは、前記第１のＰＳＳおよび前記第１のＳＳＳを含む、該受信モジュールと、
前記第１のＰＳＳおよび前記第１のＳＳＳに従って前記第１のノードと同期するように構成された処理モジュールと
を備え、
前記受信モジュールは、第２のＰＳＳまたは第２のＳＳＳを受信するようにさらに構成され、前記第２のＰＳＳまたは前記第２のＳＳＳは、前記第１のノードが前記第１のタイプのサブフレームを送信することから第２のタイプのサブフレームを送信することに切り替わった後で送信される前記第２のタイプのサブフレーム内に位置し、前記第２のタイプのサブフレームは、物理アップリンク共有チャネルＰＵＳＣＨおよび第２の同期チャネルを含み、前記第２の同期チャネルは、前記第２のＰＳＳまたは前記第２のＳＳＳを含み、
前記第２のＰＳＳは、前記第１のＰＳＳに従って生成され、前記第２のＳＳＳは、前記第１のＳＳＳに従って生成され、
前記処理モジュールは、前記第２のＰＳＳまたは前記第２のＳＳＳに従って前記第１のノードとの同期を保つようにさらに構成されたことを特徴とする装置。
【請求項７】
前記受信モジュールは、前記第１のＰＳＳまたは前記第１のＳＳＳを受信し、前記第１のＰＳＳおよび前記第１のＳＳＳは、前記第１のノードによって送信される前記第１のタイプのサブフレーム内に位置し、前記第１のタイプのサブフレームは、前記ＰＤＳＣＨおよび前記第１の同期チャネルを含み、前記第１の同期チャネルは、前記第１のタイプのサブフレーム内に定期的に位置し、前記第１の同期チャネルは、前記第１のＰＳＳおよび前記第１のＳＳＳを含み、また、前記第２のＰＳＳまたは前記第２のＳＳＳを受信するように特に構成され、前記第２のＰＳＳまたは前記第２のＳＳＳは、前記第１のノードが前記第１のタイプのサブフレームを送信することから前記第２のタイプのサブフレームを送信することに切り替わった後で送信される前記第２のタイプのサブフレーム内に位置し、前記第２のタイプのサブフレームは、前記ＰＵＳＣＨおよび前記第２の同期チャネルを含み、前記第２の同期チャネルは、前記第２のタイプのサブフレーム内に定期的に位置し、前記第２の同期チャネルは、前記第２のＰＳＳまたは前記第２のＳＳＳを含むことを特徴とする請求項６に記載の装置。
【請求項８】
前記受信モジュールは、前記第２のＰＳＳによって使用されるシーケンス、変調および符号化フォーマット、ならびに周波数領域リソースロケーションが、前記第１のＰＳＳによって使用されるものと一致しているという規則に従って前記第１のノードによって生成される前記第２のＰＳＳを受信し、および、前記第２のＳＳＳによって使用されるシーケンス、変調および符号化フォーマット、ならびに周波数領域リソースロケーションが、前記第１のＳＳＳによって使用されるものと一致しているという規則に従って前記第１のノードによって生成される前記第２のＳＳＳを受信する、ように特に構成されたことを特徴とする請求項６または７に記載の装置。
【請求項９】
前記処理モジュールは、前記第２のＰＳＳまたは前記第２のＳＳＳを前記第２のタイプのサブフレームから抽出してから、前記第２のＰＳＳまたは前記第２のＳＳＳに従って前記第１のノードとの同期を保つようにさらに構成されることを特徴とする請求項６乃至８のいずれか１つに記載の装置。
【請求項１０】
前記第１のタイプのサブフレームが時分割二重ＴＤＤ方式で伝送され、前記第２のタイプのサブフレームもまた前記ＴＤＤ方式で伝送される場合、前記処理モジュールは、第１のＳＳＳを得るためのサイクルが１伝送時間間隔ＴＴＩ遅延されているとき前記第２のＰＳＳまたは前記第２のＳＳＳを前記第２のタイプのサブフレームから抽出するように特に構成され、前記第２のＰＳＳまたは前記第２のＳＳＳは、前記第２のタイプのサブフレームのアップリンクパイロットタイムスロットＵｗＰＴＳシンボル内に位置することを特徴とする請求項９に記載の装置。
【請求項１１】
前記第１のタイプのサブフレームが周波数分割二重ＦＤＤ方式で伝送され、前記第２のタイプのサブフレームもまた前記ＦＤＤ方式で伝送される場合、前記処理モジュールは、
前記第１のＰＳＳを得るためのサイクルが０．５ＴＴＩ遅延されているとき前記第２のＰＳＳまたは前記第２のＳＳＳを前記第２のタイプのサブフレームから抽出するように特に構成され、前記第２のＰＳＳまたは前記第２のＳＳＳは、前記第２のタイプのサブフレームの最後のシンボル内に位置することを特徴とする請求項９に記載の装置。
【請求項１２】
前記第１のタイプのサブフレームがＴＤＤ方式で伝送され、前記第２のタイプのサブフレームがＦＤＤ方式で伝送される場合、前記処理モジュールは、前記第１のＳＳＳを得るためのサイクル内で前記第２のＰＳＳまたは前記第２のＳＳＳを前記第２のタイプのサブフレームから抽出するように特に構成され、前記第２のＰＳＳまたは前記第２のＳＳＳは、前記第２のタイプのサブフレームの最後のシンボル内に位置することを特徴とする請求項９に記載の装置。
【請求項１３】
前記処理モジュールは、前記第２のＰＳＳまたは前記第２のＳＳＳだけが抽出される場合、前記第２のＰＳＳまたは前記第２のＳＳＳを前記第２のタイプのサブフレームから抽出した後で、前記第１のノードの伝送方式が切り替えられたと決定するようにさらに構成されることを特徴とする請求項９乃至１２のいずれか１つに記載の装置。
【請求項１４】
同期信号送信方法であって、
第１のノードによって、第１のタイプのサブフレームを送信するステップであって、前記第１のタイプのサブフレームは、物理ダウンリンク共有チャネルＰＤＳＣＨおよび第１の同期チャネルを含み、前記第１の同期チャネルは、第１の一次同期信号ＰＳＳおよび第１の二次同期信号ＳＳＳを含み、前記第１のＰＳＳおよび前記第１のＳＳＳは、前記第１のＰＳＳおよび前記第１のＳＳＳを受信する第２のノードが前記第１のノードと同期することを可能にするように使用される、該ステップと、
前記第１のノードによって、前記第１のタイプのサブフレームを送信することから第２のタイプのサブフレームを送信することに切り替えるステップと、
前記第１のノードによって、前記第２のタイプのサブフレームを送信するステップであって、前記第２のタイプのサブフレームは、物理アップリンク共有チャネルＰＵＳＣＨおよび第２の同期チャネルを含み、前記第２の同期チャネルは、第２のＰＳＳまたは第２のＳＳＳを含み、前記第２のＰＳＳまたは前記第２のＳＳＳは、前記第２のＰＳＳまたは前記第２のＳＳＳを受信する第２のノードが前記第１のノードとの同期を保つことを可能にするように使用され、前記第２のＰＳＳは、前記第１のＰＳＳに従って生成され、前記第２のＳＳＳは、前記第１のＳＳＳに従って生成される、該ステップと
を含むことを特徴とする方法。
【請求項１５】
前記第１の同期チャネルは、前記第１のタイプのサブフレーム内に定期的に位置し、前記第２の同期チャネルは、前記第２のタイプのサブフレーム内に定期的に位置することを特徴とする請求項１４に記載の方法。
【請求項１６】
前記第２のＰＳＳによって使用されるシーケンス、変調および符号化フォーマット、ならびに周波数領域リソースロケーションが前記第１のＰＳＳによって使用されるものと一致しており、前記第２のＳＳＳによって使用されるシーケンス、ならびに変調および符号化フォーマット、ならびに周波数領域リソースロケーションが前記第１のＳＳＳによって使用されるものと一致していることを特徴とする請求項１４または１５に記載の方法。
【請求項１７】
前記第２のタイプのサブフレームが時分割二重ＴＤＤ方式で伝送される場合、前記第２のＰＳＳまたは前記第２のＳＳＳは、前記第２のタイプのサブフレームのアップリンクパイロットタイムスロットＵｗＰＴＳシンボル内に位置することを特徴とする請求項１４乃至１６のいずれか１つに記載の方法。
【請求項１８】
前記第２のタイプのサブフレームが周波数分割二重ＦＤＤ方式で伝送される場合、前記第２のＰＳＳまたは前記第２のＳＳＳは、前記第２のタイプのサブフレームの最後のシンボル内に位置することを特徴とする請求項１４乃至１６のいずれか１つに記載の方法。
【請求項１９】
同期信号受信方法であって、
第２のノードによって、第１の一次同期信号ＰＳＳおよび第１の二次同期信号ＳＳＳを受信するステップであって、前記第１のＰＳＳおよび前記第１のＳＳＳは、第１のノードによって送信される第１のタイプのサブフレーム内に位置し、第１のタイプのサブフレームは、物理ダウンリンク共有チャネルＰＤＳＣＨおよび第１の同期チャネルを含み、前記第１の同期チャネルは、前記第１のＰＳＳおよび前記第１のＳＳＳを含む、該ステップと、
前記第２のノードによって、前記第１のＰＳＳおよび前記第１のＳＳＳに従って前記第１のノードと同期するステップと、
前記第２のノードによって、第２のＰＳＳまたは第２のＳＳＳを受信するステップであって、前記第２のＰＳＳまたは前記第２のＳＳＳは、前記第１のノードが前記第１のタイプのサブフレームを送信することから第２のタイプのサブフレームを送信することに切り替わった後で送信される前記第２のタイプのサブフレーム内に位置し、前記第２のタイプのサブフレームは、物理アップリンク共有チャネルＰＵＳＣＨおよび第２の同期チャネルを含み、前記第２の同期チャネルは、前記第２のＰＳＳまたは前記第２のＳＳＳを含み、
前記第２のＰＳＳは、前記第１のＰＳＳに従って生成され、前記第２のＳＳＳは、前記第１のＳＳＳに従って生成される、該ステップと、
前記第２のノードによって、前記第２のＰＳＳまたは前記第２のＳＳＳに従って前記第１のノードとの同期を保つステップと
を含むことを特徴とする方法。
【請求項２０】
前記第１の同期チャネルは、前記第１のタイプのサブフレーム内に定期的に位置し、前
記第２の同期チャネルは、前記第２のタイプのサブフレーム内に定期的に位置することを
特徴とする請求項１９に記載の方法。
【請求項２１】
前記第２のＰＳＳによって使用されるシーケンス、変調および符号化フォーマット、ならびに周波数領域リソースロケーションが前記第１のＰＳＳによって使用されるものと一致しており、前記第２のＳＳＳによって使用されるシーケンス、変調および符号化フォーマット、ならびに周波数領域リソースロケーションが前記第１のＳＳＳによって使用されるものと一致していることを特徴とする請求項１９または２０に記載の方法。
【請求項２２】
前記第２のノードによって、前記第２のＰＳＳまたは前記第２のＳＳＳに従って前記第１のノードとの同期を保つ前記ステップの前に、
前記第２のノードによって、前記第２のＰＳＳまたは前記第２のＳＳＳを前記第２のタイプのサブフレームから抽出するステップをさらに含むことを特徴とする請求項１９乃至２１のいずれか１つに記載の方法。
【請求項２３】
前記第１のタイプのサブフレームが時分割二重ＴＤＤ方式で伝送され、前記第２のタイプのサブフレームもまた前記ＴＤＤ方式で伝送される場合、前記第２のノードによって、
前記第２のＰＳＳまたは前記第２のＳＳＳを前記第２のタイプのサブフレームから抽出するステップは、
前記第２のノードによって、第１のＳＳＳを得るためのサイクルが１伝送時間間隔ＴＴＩ遅延されているとき前記第２のＰＳＳまたは前記第２のＳＳＳを前記第２のタイプのサブフレームから抽出するステップを含み、前記第２のＰＳＳまたは前記第２のＳＳＳは、
前記第２のタイプのサブフレームのアップリンクパイロットタイムスロットＵｗＰＴＳシンボル内に位置することを特徴とする請求項２２に記載の方法。
【請求項２４】
前記第１のタイプのサブフレームが周波数分割二重ＦＤＤ方式で伝送され、前記第２のタイプのサブフレームもまた前記ＦＤＤ方式で伝送される場合、前記第２のノードによって、前記第２のＰＳＳまたは前記第２のＳＳＳを前記第２のタイプのサブフレームから抽出するステップは、
前記第２のノードによって、前記第１のＰＳＳを得るためのサイクルが０．５ＴＴＩ遅延されているとき前記第２のＰＳＳまたは前記第２のＳＳＳを前記第２のタイプのサブフレームから抽出するステップを含み、前記第２のＰＳＳまたは前記第２のＳＳＳは、前記第２のタイプのサブフレームの最後のシンボル内に位置することを特徴とする請求項２２に記載の方法。
【請求項２５】
前記第１のタイプのサブフレームがＴＤＤ方式で伝送され、前記第２のタイプのサブフレームがＦＤＤ方式で伝送される場合、前記第２のノードによって、前記第２のＰＳＳまたは前記第２のＳＳＳを前記第２のタイプのサブフレームから抽出するステップは、
前記第２のノードによって、前記第１のＳＳＳを得るためのサイクル内で前記第２のＰＳＳまたは前記第２のＳＳＳを前記第２のタイプのサブフレームから抽出するステップを含み、前記第２のＰＳＳまたは前記第２のＳＳＳは、前記第２のタイプのサブフレームの最後のシンボル内に位置することを特徴とする請求項２２に記載の方法。
【請求項２６】
前記第２のノードによって、前記第２のＰＳＳまたは前記第２のＳＳＳを前記第２のタイプのサブフレームから抽出する前記ステップの後で、
前記第２のノードが前記第２のＰＳＳまたは前記第２のＳＳＳだけを受信した場合、前記第２のノードによって、前記第１のノードの伝送方式が切り替えられたと決定するステップをさらに含むことを特徴とする請求項２２乃至２５のいずれか１つに記載の方法。
【発明の詳細な説明】
【技術分野】
【０００１】
本発明の実施形態は、ワイヤレス通信技術の分野に関し、詳細には、同期信号送信方法および装置、ならびに同期信号受信方法および装置に関する。
【背景技術】
【０００２】
ロングタームエボリューション（Ｌｏｎｇ  Ｔｅｒｍ  Ｅｖｏｌｕｔｉｏｎ、ＬＴＥ）システムおよび拡張ロングタームエボリューション（ＬＴＥ−Ａｄｖａｎｃｅｄ、ＬＴＥ−Ａ）システムのネットワーク進化過程で、同種ネットワークから異種ネットワークへの進化傾向がある。異種ネットワークアーキテクチャでは、ネットワークカバレッジ能力をさらに増大するために、より小さいセル（小セル、ＳＣ）デバイスがマクロ基地局（マクロ高度化ノードＢ、マクロｅＮｏｄｅＢ）のカバレッジ内で増大される。小セルデバイスは、低電力無線アクセスノードを指す。マクロ基地局と比較して、小セルデバイスは、より低い電力、より小さいカバレッジエリア、およびより小さいサイズを有する。たとえば、小セルデバイスは、ホームｅＮｏｄｅＢ（Ｈｏｍｅ  ｅＮｏｄｅＢ）、マイクロ基地局（ピコｅＮｏｄｅＢ）、およびリモート無線ヘッド（Ｒｅｍｏｔｅ  Ｒａｄｉｏ  Ｈｅａｄ、ＲＲＨ）を含む。
【０００３】
ネットワークカバレッジ能力のための増大する要件に伴って、小セル高密度化が、ネットワークカバレッジ能力のための増大する要件に対する主な解決策である。しかし、小セルデバイスを密に展開することには多数の実際上の難点がある。小セル間の同期のために、多数の小セル間におけるバックホール（ｂａｃｋｈａｕｌ）の上でのデータ伝送中に以下の問題が引き起こされる。バックホールは、一般に、小セルデバイスとコアネットワーク（Ｃｏｒｅ  Ｎｅｔｗｏｒｋ）との間のデータ伝送経路を指す。ユーザ機器（Ｕｓｅｒ  Ｅｑｕｉｐｍｅｎｔ、ＵＥ）によってアクセスされる小セルデバイスは、ＡＰとも呼ばれる。ＡＰは、複数の小セルデバイスの転送によってコアネットワークに、ＵＥによって送信されたデータを伝送する。ＡＰからコアネットワークへのデータ伝送経路上の小セルデバイス間のデータ伝送経路がバックホールと呼ばれる。密に展開された小セルデバイスのネットワークでは、ユーザ機器（Ｕｓｅｒ  Ｅｑｕｉｐｍｅｎｔ、ＵＥ）は、複数の小セルデバイス間で頻繁にハンドオーバされることがある。したがって、小セルデバイスのバックホール経路は、柔軟に変更されることを必要とする。柔軟なバックホールの技術的解決策では、小セル間でのデータ伝送中、伝送経路および伝送方式が変わり得る。小セルデバイスの伝送方式が変更されるとき、たとえば、小セルデバイスがアップリンクサブフレームを送信する状態からダウンリンクサブフレームを送信する状態に切り替わるとき、その小セルデバイスによって送信されるデータを受信する別の小セルデバイスは、最初に特定の期間を費やし、データを送信する小セルデバイスと同期することを必要とする。この期間には、小セルデバイス間でデータ伝送を実施することができない。
【０００４】
一般に、ファイバ、マイクロ波、およびリレー（Ｒｅｌａｙ）など、バックホールを実装するための複数の方式がある。しかし、ファイバなど有線のバックホール方式が採用される場合、新しいルートが設定されることを必要とし、これは比較的高いコストをもたらす。密に展開された小セルデバイスのネットワークは、一般に成熟した都市領域内にあり、新しいルートの設定プロジェクトを実施する可能性は低い。したがって、ワイヤレスバックホール方式が、密に展開された小セルデバイスの方式のための主な開発方向である。
【０００５】
ワイヤレスバックホール方式のリレー（Ｒｅｌａｙ）技術では、アップリンクサブフレームを伝送するとき、小セルデバイスは、１つのダウンリンクサブフレームと１つの特別なサブフレームを定期的に保持し、特別なサブフレーム上で同期信号を伝送し、その結果、その同期信号を検出する小セルデバイスは、アップリンクサブフレームを伝送する小セルデバイスとの同期を保つことができる。しかし、アップリンクサブフレームを伝送するプロセスでは、小セルデバイスは、１つのダウンリンクサブフレームと１つの特別なサブフレームの構成を常に定期的に保持することを必要とする。したがって、ダウンリンクサブフレームおよび特別なサブフレームの伝送方式の構成柔軟性が犠牲になり、価値ある伝送リソースが無駄になる。
【発明の概要】
【発明が解決しようとする課題】
【０００６】
本発明は、改善された同期信号送信方法および装置、ならびに改善された同期信号受信方法および装置を提供する。
【課題を解決するための手段】
【０００７】
本発明の実施形態は、同期信号送信方法および装置、ならびに同期信号受信方法および装置を提供する。小セルデバイス間でのバックホールの上でのデータ伝送中のアイドル（ｉｄｌｅ）期間が解消され、したがって、サブフレームの構成柔軟性が維持される。
【０００８】
第１の態様は、同期信号送信装置を提供し、同期信号送信装置は、第１のノード内に配置され、同期信号送信装置は、
第１のタイプのサブフレームを送信するように構成された送信モジュールであって、第１のタイプのサブフレームは、物理ダウンリンク共有チャネルＰＤＳＣＨおよび第１の同期チャネルを含み、第１の同期チャネルは、第１の一次同期信号ＰＳＳおよび第１の二次同期信号ＳＳＳを含み、第１のＰＳＳおよび第１のＳＳＳは、第１のＰＳＳおよび第１のＳＳＳを受信する第２のノードが第１のノードと同期することを可能にするように使用される。送信モジュールと、
第１のタイプのサブフレームを送信することから第２のタイプのサブフレームを送信することに切り替わるように送信モジュールを制御するように構成された処理モジュールとを含み、
送信モジュールは、処理モジュールの制御下で第２のタイプのサブフレームを送信するようにさらに構成され、第２のタイプのサブフレームは、物理アップリンク共有チャネルＰＵＳＣＨおよび第２の同期チャネルを含み、第２の同期チャネルは、第２のＰＳＳまたは第２のＳＳＳを含み、第２のＰＳＳまたは第２のＳＳＳは、第２のＰＳＳまたは第２のＳＳＳを受信する第２のノードが第１のノードとの同期を保つことを可能にするように使用され、第２のＰＳＳは、第１のＰＳＳに従って生成され、第２のＳＳＳは、第１のＳＳＳに従って生成される。
【０００９】
第１の態様を参照して、第１の態様の第１の可能な実装方式では、送信モジュールは、第１のタイプのサブフレームを送信し、第１のタイプのサブフレームは、ＰＤＳＣＨおよび第１の同期チャネルを含み、第１の同期チャネルは、第１のタイプのサブフレーム内に定期的に位置し、また第２のタイプのサブフレームを送信するように特に構成され、第２のタイプのサブフレームは、ＰＵＳＣＨおよび第２の同期チャネルを含み、第２の同期チャネルは、第２のタイプのサブフレーム内に定期的に位置する。
【００１０】
第１の態様または第１の態様の第１の可能な実装方式を参照して、第１の態様の第２の可能な実装方式では、処理モジュールは、第２のＰＳＳによって使用されるシーケンス、変調および符号化フォーマット、ならびに周波数領域リソースロケーションが第１のＰＳＳによって使用されるものと一致しているという規則に従って第２のＰＳＳを生成し、第２のＳＳＳによって使用されるシーケンス、変調および符号化フォーマット、ならびに周波数領域リソースロケーションが第１のＳＳＳによって使用されるものと一致しているという規則に従って第２のＳＳＳを生成するようにさらに構成される。
【００１１】
第１の態様から第１の態様の第２の可能な実装方式までのいずれか１つを参照して、第１の態様の第３の可能な実装方式では、第２のタイプのサブフレームがＴＤＤ方式で伝送される場合、第２のＰＳＳまたは第２のＳＳＳは、第２のタイプのサブフレームのＵｗＰＴＳシンボル内に位置する。
【００１２】
第１の態様から第１の態様の第２の可能な実装方式までのいずれか１つを参照して、第１の態様の第４の可能な実装方式では、第２のタイプのサブフレームがＦＤＤ方式で伝送される場合、第２のＰＳＳまたは第２のＳＳＳは、第２のタイプのサブフレームの最後のシンボル内に位置する。
【００１３】
第２の態様は、同期信号受信装置を提供し、同期信号受信装置は、第２のノード内に配置され、同期信号受信装置は、
第１の一次同期信号ＰＳＳおよび第１の二次同期信号ＳＳＳを受信するように構成された受信モジュールであって、第１のＰＳＳおよび第１のＳＳＳは、第１のノードによって送信される第１のタイプのサブフレーム内に位置し、第１のタイプのサブフレームは、物理ダウンリンク共有チャネルＰＤＳＣＨおよび第１の同期チャネルを含み、第１の同期チャネルは、第１のＰＳＳおよび第１のＳＳＳを含む、受信モジュールと、
第１のＰＳＳおよび第１のＳＳＳに従って第１のノードと同期するように構成された処理モジュールとを含み、
受信モジュールは、第２のＰＳＳまたは第２のＳＳＳを受信するようにさらに構成され、第２のＰＳＳまたは第２のＳＳＳは、第１のノードが第１のタイプのサブフレームを送信することから第２のタイプのサブフレームを送信することに切り替わった後で送信される第２のタイプのサブフレーム内に位置し、第２のタイプのサブフレームは、物理アップリンク共有チャネルＰＵＳＣＨおよび第２の同期チャネルを含み、第２の同期チャネルは、第２のＰＳＳまたは第２のＳＳＳを含み、第２のＰＳＳは、第１のＰＳＳに従って生成され、第２のＳＳＳは、第１のＳＳＳに従って生成され、
処理モジュールは、第２のＰＳＳまたは第２のＳＳＳに従って第１のノードとの同期を保つようにさらに構成される。
【００１４】
第２の態様を参照して、第２の態様の第１の可能な実装方式では、受信モジュールは、第１のＰＳＳまたは第１のＳＳＳを受信し、第１のＰＳＳおよび第１のＳＳＳは、第１のノードによって送信される第１のタイプのサブフレーム内に位置し、第１のタイプのサブフレームは、ＰＤＳＣＨおよび第１の同期チャネルを含み、第１の同期チャネルは、第１のタイプのサブフレーム内に定期的に位置し、第１の同期チャネルは、第１のＰＳＳおよび第１のＳＳＳを含み、また、第２のＰＳＳまたは第２のＳＳＳを受信するように特に構成され、第２のＰＳＳまたは第２のＳＳＳは、第１のノードが第１のタイプのサブフレームを送信することから第２のタイプのサブフレームを送信することに切り替わった後で送信される第２のタイプのサブフレーム内に位置し、第２のタイプのサブフレームは、ＰＵＳＣＨおよび第２の同期チャネルを含み、第２の同期チャネルは、第２のタイプのサブフレーム内に定期的に位置し、第２の同期チャネルは、第２のＰＳＳまたは第２のＳＳＳを含む。
【００１５】
第２の態様または第２の態様の第１の可能な実装方式を参照して、第２の態様の第２の可能な実装方式では、第２のＰＳＳによって使用されるシーケンス、変調および符号化フォーマット、ならびに周波数領域リソースロケーションが第１のＰＳＳによって使用されるものと一致しており、第２のＳＳＳによって使用されるシーケンス、変調および符号化フォーマット、ならびに周波数領域リソースロケーションが第１のＳＳＳによって使用されるものと一致している。
【００１６】
第２の態様から第２の態様の第２の可能な実装方式までのいずれか１つを参照して、第２の態様の第３の可能な実装方式では、処理モジュールは、第２のＰＳＳまたは第２のＳＳＳを第２のタイプのサブフレームから抽出してから、第２のＰＳＳまたは第２のＳＳＳに従って第１のノードとの同期を保つようにさらに構成される。
【００１７】
第２の態様の第３の可能な実装方式を参照して、第２の態様の第４の可能な実装方式では、第１のタイプのサブフレームがＴＤＤ方式で伝送され、第２のタイプのサブフレームもまたＴＤＤ方式で伝送される場合、処理モジュールは、第１のＳＳＳを得るためのサイクルが１ＴＴＩ遅延されているとき第２のＰＳＳまたは第２のＳＳＳを第２のタイプのサブフレームから抽出するように特に構成され、第２のＰＳＳまたは第２のＳＳＳは、第２のタイプのサブフレームのＵｗＰＴＳシンボル内に位置する。
【００１８】
第２の態様の第３の可能な実装方式を参照して、第２の態様の第５の可能な実装方式では、第１のタイプのサブフレームがＦＤＤ方式で伝送され、第２のタイプのサブフレームもまたＦＤＤ方式で伝送される場合、処理モジュールは、第１のＰＳＳを得るためのサイクルが０．５ＴＴＩ遅延されているとき第２のＰＳＳまたは第２のＳＳＳを第２のタイプのサブフレームから抽出するように特に構成され、第２のＰＳＳまたは第２のＳＳＳは、第２のタイプのサブフレームの最後のシンボル内に位置する。
【００１９】
第２の態様の第３の可能な実装方式を参照して、第２の態様の第６の可能な実装方式では、第１のタイプのサブフレームがＴＤＤ方式で伝送され、第２のタイプのサブフレームがＦＤＤ方式で伝送される場合、処理モジュールは、第１のＳＳＳを得るためのサイクル内で第２のＰＳＳまたは第２のＳＳＳを第２のタイプのサブフレームから抽出するように特に構成され、第２のＰＳＳまたは第２のＳＳＳは、第２のタイプのサブフレームの最後のシンボル内に位置する。
【００２０】
第２の態様の第３から第６の可能な実装方式のいずれか１つを参照して、第２の態様の第７の可能な実装方式では、処理モジュールは、第２のＰＳＳまたは第２のＳＳＳだけが抽出される場合、第２のＰＳＳまたは第２のＳＳＳを第２のタイプのサブフレームから抽出した後で、第１のノードの伝送方式が切り替えられたと決定するようにさらに構成される。
【００２１】
第３の態様は、同期信号送信方法であって、
第１のノードによって、第１のタイプのサブフレームを送信するステップであって、第１のタイプのサブフレームは、物理ダウンリンク共有チャネルＰＤＳＣＨおよび第１の同期チャネルを含み、第１の同期チャネルは、第１の一次同期信号ＰＳＳおよび第１の二次同期信号ＳＳＳを含み、第１のＰＳＳおよび第１のＳＳＳは、第１のＰＳＳおよび第１のＳＳＳを受信する第２のノードが第１のノードと同期することを可能にするように使用される、ステップと、
第１のノードによって、第１のタイプのサブフレームを送信することから第２のタイプのサブフレームを送信することに切り替えるステップと、
第１のノードによって、第２のタイプのサブフレームを送信するステップであって、第２のタイプのサブフレームは、物理アップリンク共有チャネルＰＵＳＣＨおよび第２の同期チャネルを含み、第２の同期チャネルは、第２のＰＳＳまたは第２のＳＳＳを含み、第２のＰＳＳまたは第２のＳＳＳは、第２のＰＳＳまたは第２のＳＳＳを受信する第２のノードが第１のノードとの同期を保つことを可能にするように使用され、第２のＰＳＳは、第１のＰＳＳに従って生成され、第２のＳＳＳは、第１のＳＳＳに従って生成される、ステップとを含む方法を提供する。
【００２２】
第３の態様を参照して、第３の態様の第１の可能な実装方式では、第１の同期チャネルは、第１のタイプのサブフレーム内に定期的に位置し、第２の同期チャネルは、第２のタイプのサブフレーム内に定期的に位置する。
【００２３】
第３の態様または第３の態様の第１の可能な実装方式を参照して、第３の態様の第２の可能な実装方式では、第２のＰＳＳによって使用されるシーケンス、変調および符号化フォーマット、ならびに周波数領域リソースロケーションが第１のＰＳＳによって使用されるものと一致しており、第２のＳＳＳによって使用されるシーケンス、変調および符号化フォーマット、ならびに周波数領域リソースロケーションが第１のＳＳＳによって使用されるものと一致している。
【００２４】
第３の態様から第３の態様の第２の可能な実装方式までのいずれか１つを参照して、第３の態様の第３の可能な実装方式では、第２のタイプのサブフレームがＴＤＤ方式で伝送される場合、第２のＰＳＳまたは第２のＳＳＳは、第２のタイプのサブフレームのＵｗＰＴＳシンボル内に位置する。
【００２５】
第３の態様から第３の態様の第２の可能な実装方式までのいずれか１つを参照して、第３の態様の第４の可能な実装方式では、第２のタイプのサブフレームがＦＤＤ方式で伝送される場合、第２のＰＳＳまたは第２のＳＳＳは、第２のタイプのサブフレームの最後のシンボル内に位置する。
【００２６】
第４の態様は、同期信号受信方法であって、
第２のノードによって、第１のＰＳＳおよび第１のＳＳＳを受信するステップであって、第１のＰＳＳおよび第１のＳＳＳは、第１のノードによって送信される第１のタイプのサブフレーム内に位置し、第１のタイプのサブフレームは、ＰＤＳＣＨおよび第１の同期チャネルを含み、第１の同期チャネルは、第１のＰＳＳおよび第１のＳＳＳを含む、ステップと、
第２のノードによって、第１のＰＳＳおよび第１のＳＳＳに従って第１のノードと同期するステップと、
第２のノードによって、第２のＰＳＳまたは第２のＳＳＳを受信するステップであって、第２のＰＳＳまたは第２のＳＳＳは、第１のノードが第１のタイプのサブフレームを送信することから第２のタイプのサブフレームを送信することに切り替わった後で送信される第２のタイプのサブフレーム内に位置し、第２のタイプのサブフレームは、ＰＵＳＣＨおよび第２の同期チャネルを含み、第２の同期チャネルは、第２のＰＳＳまたは第２のＳＳＳを含み、第２のＰＳＳは、第１のＰＳＳに従って生成され、第２のＳＳＳは、第１のＳＳＳに従って生成される、ステップと、
第２のノードによって、第２のＰＳＳまたは第２のＳＳＳに従って第１のノードとの同期を保つステップとを含む方法を提供する。
【００２７】
第４の態様を参照して、第４の態様の第１の可能な実装方式では、第１の同期チャネルは、第１のタイプのサブフレーム内に定期的に位置し、第２の同期チャネルは、第２のタイプのサブフレーム内に定期的に位置する。
【００２８】
第４の態様または第４の態様の第１の可能な実装方式を参照して、第４の態様の第２の可能な実装方式では、第２のＰＳＳによって使用されるシーケンス、変調および符号化フォーマット、ならびに周波数領域リソースロケーションが第１のＰＳＳによって使用されるものと一致しており、第２のＳＳＳによって使用されるシーケンス、変調および符号化フォーマット、ならびに周波数領域リソースロケーションが第１のＳＳＳによって使用されるものと一致している。
【００２９】
第４の態様から第４の態様の第２の可能な実装方式までのいずれか１つを参照して、第４の態様の第３の可能な実装方式では、第２のノードによって、第２のＰＳＳまたは第２のＳＳＳに従って第１のノードとの同期を保つステップの前に、この方法は、
第２のノードによって、第２のＰＳＳまたは第２のＳＳＳを第２のタイプのサブフレームから抽出するステップをさらに含む。
【００３０】
第４の態様の第３の可能な実装方式を参照して、第４の態様の第４の可能な実装方式では、第１のタイプのサブフレームがＴＤＤ方式で伝送され、第２のタイプのサブフレームもまたＴＤＤ方式で伝送される場合、第２のノードによって、第２のＰＳＳまたは第２のＳＳＳを第２のタイプのサブフレームから抽出するステップは、
第２のノードによって、第１のＳＳＳを得るためのサイクルが１ＴＴＩ遅延されているとき第２のＰＳＳまたは第２のＳＳＳを第２のタイプのサブフレームから抽出するステップを含み、第２のＰＳＳまたは第２のＳＳＳは、第２のタイプのサブフレームのＵｗＰＴＳシンボル内に位置する。
【００３１】
第４の態様の第３の可能な実装方式を参照して、第４の態様の第５の可能な実装方式では、第１のタイプのサブフレームがＦＤＤ方式で伝送され、第２のタイプのサブフレームもまたＦＤＤ方式で伝送される場合、第２のノードによって、第２のＰＳＳまたは第２のＳＳＳを第２のタイプのサブフレームから抽出するステップは、
第２のノードによって、第１のＰＳＳを得るためのサイクルが０．５ＴＴＩ遅延されているとき第２のＰＳＳまたは第２のＳＳＳを第２のタイプのサブフレームから抽出するステップを含み、第２のＰＳＳまたは第２のＳＳＳは、第２のタイプのサブフレームの最後のシンボル内に位置する。
【００３２】
第４の態様の第３の可能な実装方式を参照して、第４の態様の第６の可能な実装方式では、第１のタイプのサブフレームがＴＤＤ方式で伝送され、第２のタイプのサブフレームがＦＤＤ方式で伝送される場合、第２のノードによって、第２のＰＳＳまたは第２のＳＳＳを第２のタイプのサブフレームから抽出するステップは、
第２のノードによって、第１のＳＳＳを得るためのサイクル内で第２のＰＳＳまたは第２のＳＳＳを第２のタイプのサブフレームから抽出するステップを含み、第２のＰＳＳまたは第２のＳＳＳは、第２のタイプのサブフレームの最後のシンボル内に位置する。
【００３３】
第４の態様の第３から第６の可能な実装方式のいずれか１つを参照して、第４の態様の第７の可能な実装方式では、第２のノードによって、第２のＰＳＳまたは第２のＳＳＳを第２のタイプのサブフレームから抽出するステップの後で、この方法は、
第２のノードが第２のＰＳＳまたは第２のＳＳＳだけを受信した場合、第２のノードによって、第１のノードの伝送方式が切り替えられたと決定するステップをさらに含む。
【００３４】
本発明の実施形態において提供される同期信号送信方法および装置、ならびに同期信号受信方法および装置によれば、第１のノードが、ＰＵＳＣＨを送信するとき、第２のＰＳＳまたは第２のＳＳＳを送信し、第１のノードの伝送ステータスが切り替えられたとき、第１のノードのカバレッジエリア内の第２のノードが依然として第１のノードとの同期を保つことを可能にする。さらに、第２のＰＳＳまたは第２のＳＳＳは、ＰＵＳＣＨサブフレーム内に位置し、第２のＰＳＳまたは第２のＳＳＳについて固定されたＰＤＳＣＨサブフレームおよび固定された特別なサブフレームを構成する必要がない。したがって、小セルデバイス間でのバックホールの上でのデータ伝送中のアイドル期間が解消され、いくつかのサブフレームの構成柔軟性が維持される。
【図面の簡単な説明】
【００３５】
本発明の実施形態における、または従来技術における技術的解決策についてより明確に述べるために、以下、それらの実施形態または従来技術について述べるために必要とされる添付の図面を簡単に紹介する。明らかに、以下の説明における添付の図面は、本発明の一部の実施形態を示すにすぎず、当業者なら、これらの添付の図面から、創造的努力なしに他の図面を依然として導出することがあり得る。
【００３６】
【図１】異種ネットワークアーキテクチャにおいて密に展開された小セルデバイスのネットワークアーキテクチャの概略図である。
【図２】小セルデバイス間でのリソース伝送の概略図である。
【図３】リレー技術が使用されるときの小セルデバイス間でのリソース伝送の概略図である。
【図４】本発明の一実施形態による同期信号送信装置の第１の実施形態の概略構造図である。
【図５Ａ】ＴＤＤシステムにおける第１のタイプのサブフレームのフレーム構造の概略図である。
【図５Ｂ】ＦＤＤシステムにおける第１のタイプのサブフレームのフレーム構造の概略図である。
【図６】本発明の一実施形態による同期信号受信装置の第１の実施形態の概略構造図である。
【図７Ａ】第１のタイプのサブフレームがＴＤＤ方式で伝送され、第２のタイプのサブフレームもまたＴＤＤ方式で伝送され、第２のタイプのサブフレームが第２のＳＳＳを含むフレーム構造の概略図である。
【図７Ｂ】第１のタイプのサブフレームがＴＤＤ方式で伝送され、第２のタイプのサブフレームもまたＴＤＤ方式で伝送され、第２のタイプのサブフレームが第２のＰＳＳを含むフレーム構造の概略図である。
【図８Ａ】第１のタイプのサブフレームがＦＤＤ方式で伝送され、第２のタイプのサブフレームもまたＦＤＤ方式で伝送され、第２のタイプのサブフレームが第２のＰＳＳを含むフレーム構造の概略図である。
【図８Ｂ】第１のタイプのサブフレームがＦＤＤ方式で伝送され、第２のタイプのサブフレームもまたＦＤＤ方式で伝送され、第２のタイプのサブフレームが第２のＳＳＳを含むフレーム構造の概略図である。
【図９Ａ】第１のタイプのサブフレームがＴＤＤ方式で伝送され、第２のタイプのサブフレームがＦＤＤ方式で伝送され、第２のタイプのサブフレームが第２のＳＳＳを含むフレーム構造の概略図である。
【図９Ｂ】第１のタイプのサブフレームがＴＤＤ方式で伝送され、第２のタイプのサブフレームがＦＤＤ方式で伝送され、第２のタイプのサブフレームが第２のＰＳＳを含むフレーム構造の概略図である。
【図１０】本発明の一実施形態による同期信号送信方法の第１の実施形態の流れ図である。
【図１１】本発明の一実施形態による同期信号受信方法の第１の実施形態の流れ図である。
【図１２】本発明の一実施形態による同期信号受信方法の第２の実施形態の流れ図である。
【発明を実施するための形態】
【００３７】
本発明の実施形態の目的、技術的解決策、および利点をより明確にするために、以下、本発明の実施形態における添付の図面を参照して、本発明の実施形態における技術的解決策について明確かつ完全に述べる。明らかに、記載の実施形態は、本発明の実施形態の一部にすぎず、すべてではない。創造的努力なしに本発明の実施形態に基づいて当業者によって得られるすべての他の実施形態が、本発明の保護範囲内に入るものとする。
【００３８】
図１は、異種ネットワークアーキテクチャにおいて密に展開された小セルデバイスのネットワークアーキテクチャの概略図である。図１に示されているように、マクロ基地局１１のカバレッジエリア内に複数の小セルデバイス１２があり、各小セルデバイス１２がカバレッジエリアを有する。ＵＥ１３は、任意の小セルデバイス１２またはマクロ基地局１１を使用することによってネットワークにアクセスしてもよい。ＵＥ１３によってアクセスされる小セルデバイス１２のバックホールは、ＵＥ１３によってアクセスされる小セルデバイス１２からマクロ基地局へのデータ伝送経路である。小セルデバイス１２からマクロ基地局１１へのバックホールは、いつでもネットワークステータスで変わる。たとえば、ＵＥ１３によってアクセスされる小セルデバイス１２は、経路１４に従ってデータを伝送してよく、又は経路１５に従ってデータを伝送してよい。すなわち、ＵＥ１３によってアクセスされる小セルデバイス１２のバックホールは、経路１４でよく又は経路１５でよい。
【００３９】
さらに、ネットワーク内の各小セルデバイス１２は、２つのデータ伝送方式を有し、これらはそれぞれ、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を送信すること、および物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を送信することである。小セルデバイス１２は、その小セルデバイス１２の異なる構成または異なる適用環境に従って異なるデータ伝送方式を選択する。たとえば、小セルデバイス１２がＵＥによってアクセスされる場合、小セルデバイス１２は、ＰＤＳＣＨだけ送信することができる。
【００４０】
したがって、経路変更に加えて、データバックホール経路上の小セルデバイス１２は、伝送方式変更に遭遇することがある。
【００４１】
ＰＤＳＣＨを送信するとき、第１の小セルデバイスは、同じサブフレーム内で同期チャネルをさらに送信し、同期チャネルは、定期的に現れる。同期チャネルは、一次同期信号（Ｐｒｉｍａｒｙ  Ｓｙｎｃｈｒｏｎｉｚａｔｉｏｎ  Ｓｉｇｎａｌ、ＰＳＳ）および二次同期信号（Ｓｅｃｏｎｄａｒｙ  Ｓｙｎｃｈｒｏｎｉｎａｔｉｏｎ  Ｓｉｇｎａｌ、ＳＳＳ）を含み、ＰＳＳおよびＳＳＳは、ブロードキャスト信号である。第１の小セルデバイスのカバレッジエリア内に位置する他の小セルデバイスは、ＰＳＳおよびＳＳＳを検出することができ、ＰＳＳおよびＳＳＳに従って第１の小セルデバイスと同期する。
【００４２】
しかし、第１の小セルデバイスは、ＰＵＳＣＨを送信するとき同じサブフレーム内で同期チャネルを送信せず、したがって、第１の小セルデバイスがＰＵＳＣＨを送信することからＰＤＳＣＨを送信することに切り替わるとき、ネットワーク内の他の小セルデバイスは、最初にＰＤＳＣＨと同時に送信されるＰＳＳおよびＳＳＳを検出し、第１の小セルデバイスと同期した後でしかＰＤＳＣＨ上でデータを受信することができない。他の小セルデバイスは、ＰＳＳおよびＳＳＳを検出し第１の小セルデバイスとの同期を完了するために特定の期間を必要とし、第１の小セルデバイスは、この期間中、データを伝送することができず、したがって、いくつかの伝送リソースが無駄になる。
【００４３】
図２は、小セルデバイス間でのリソース伝送の概略図である。図２に示されているように、３つの小セルデバイス、ＳＣ２１、ＳＣ２２、およびＳＣ２３がネットワーク内にある。時点２４および時点２５は、伝送方式を変更するための切替え点である。時点２４の前に、ＳＣ２２は、ダウンリンクサブフレームを使用することによってＳＣ２３にデータを送信する。サブフレーム２２１、サブフレーム２２２からサブフレーム２２３、およびサブフレーム２２４からサブフレーム２２５のそれぞれは、ＰＤＳＣＨを含み、サブフレーム２２６およびサブフレーム２２７は特別なサブフレームであり、特別なサブフレームは、ダウンリンクサブフレーム内で定期的に構成される。時点２４の前にＳＣ２２によって送信される各ダウンリンクサブフレームは、同期信号を定期的に含む。同期信号はブロードキャスト信号であり、同期信号は、ＰＳＳおよびＳＳＳを含み、ＰＳＳは特別なサブフレーム内に位置し、ＳＳＳは、特別なサブフレームに先行するＰＤＳＣＨサブフレーム内に位置する。ＳＣ２２のカバレッジエリア内のＳＣ２１およびＳＣ２３は共に、同期信号を検出することができ、その結果、ＳＣ２１およびＳＣ２３は共に、時点２４の前にＳＣ２２と同期することができる。時点２４から開始して、ＳＣ２２は、アップリンクサブフレームを使用することによってＳＣ２３にデータを送信することに切り替え、サブフレーム２２８からサブフレーム２２９のそれぞれは、ＰＵＳＣＨを含む。現在のフレームフォーマットでは、ＳＣ２２は、ＰＵＳＣＨを含むサブフレームを送信するとき同期信号を含まない。したがって、時点２４から開始して、ＳＣ２１およびＳＣ２３は、ＳＣ２２によって送信される同期信号を検出することができない、すなわち、ＳＣ２１およびＳＣ２３は、ＳＣ２２との同期を失うことになる。時点２５から開始して、ＳＣ２２は、再びダウンリンクサブフレームを使用することによってＳＣ２１またはＳＣ２３にデータを送信することに切り替える。この場合、サブフレーム２３０、サブフレーム２３１からサブフレーム２３２、およびサブフレーム２３３からサブフレーム２３４のそれぞれは、ＰＤＳＣＨを含み、サブフレーム２３５およびサブフレーム２３６は特別なサブフレームである。しかし、時点２４から時点２５の期間内では、ＳＣ２２によって送信される各アップリンクサブフレームは、同期信号を有していない。したがって、時点２５の後、ＳＣ２１によって受信されるサブフレーム２１１からサブフレーム２１２の期間は、ＳＣ２２によって送信されるＰＤＳＣＨ上の同期信号（ＰＳＳおよびＳＳＳ）を検出し、同期信号に従ってＳＣ２２と同期するために使用される必要がある。同様に、ＳＣ２３によって受信されるサブフレーム２１３からサブフレーム２１４の期間は、ＳＣ２２によって送信されるＰＤＳＣＨ上の同期信号（ＰＳＳおよびＳＳＳ）を検出し、同期信号に従ってＳＣ２２と同期するために使用される必要がある。サブフレーム２１５から開始してのみ、ＳＣ２１は、ＳＣ２２によって送信されるＰＤＳＣＨサブフレームによって担持されたデータを受信することを開始することができ、同様に、サブフレーム２１６から開始してのみ、ＳＣ２３は、ＳＣ２２によって送信されるＰＤＳＣＨサブフレームによって担持されたデータを受信することを開始することができる。ＳＣ２１のサブフレーム２１１からサブフレーム２１２、およびＳＣ２３のサブフレーム２１３からサブフレーム２１４は、小セルデバイス間でのバックホールの上でのデータ伝送中、アイドル期間になり、アイドル期間は、一般に、数十ミリ秒から数百ミリ秒を有する。伝送方式が切り替えられた後で、データ受信端は、データ伝送端と同期するために特定の期間を必要とすることがあり、次いで受信端および伝送端は、データ伝送を実施することができることがわかる。したがって、データ伝送は遅延されることがあり、伝送リソースが無駄になる。
【００４４】
リレー技術が使用されるとき、小セルデバイス間でのバックホールの上でのデータ伝送中に生成される前述の遅延を解消するための方法がある。図３は、リレー技術が使用されるときの小セルデバイス間でのリソース伝送の概略図である。図３に示されているように、３つの小セルデバイス、ＳＣ２１、ＳＣ２２、およびＳＣ２３がネットワーク内にある。時点２４および時点２５は、伝送方式を変更するための切替え点である。時点２４の前に、ＳＣ２２は、ダウンリンクサブフレームを使用することによってＳＣ２３にデータを送信する。サブフレーム３２１、サブフレーム３２２からサブフレーム３２３、およびサブフレーム３２４からサブフレーム３２５のそれぞれは、ＰＤＳＣＨを含み、サブフレーム３２６およびサブフレーム３２７は特別なサブフレームであり、特別なサブフレームは、ダウンリンクサブフレーム内で定期的に構成される。時点２４の前にＳＣ２２によって送信される各サブフレームは、同期信号を定期的に含む。同期信号はブロードキャスト信号であり、同期信号は、ＰＳＳおよびＳＳＳを含み、ＰＳＳは特別なサブフレーム内に位置し、ＳＳＳは、特別なサブフレームに先行するＰＤＳＣＨサブフレーム内に位置する。ＳＣ２２のカバレッジエリア内のＳＣ２１およびＳＣ２３は共に、同期信号を検出することができ、その結果、ＳＣ２１およびＳＣ２３は共に、時点２４の前にＳＣ２２と同期することができる。時点２４から開始して、ＳＣ２２は、アップリンクサブフレームを使用することによってＳＣ２３にデータを送信することに切り替え、サブフレーム３２８からサブフレーム３２９、およびサブフレーム３３０からサブフレーム３３１のそれぞれは、ＰＵＳＣＨを含む。図２との違いは、時点２４から開始して、サブフレーム３３２がＰＤＳＣＨを含み、サブフレーム３３３は特別なサブフレームであり、サブフレーム３３４がＰＤＳＣＨを含み、サブフレーム３３５は特別なサブフレームである点にある。サブフレーム３３２およびサブフレーム３３３、ならびにサブフレーム３３４およびサブフレーム３３５は、アップリンクサブフレーム内で定期的に構成される。さらに、サブフレーム３３２およびサブフレーム３３３、ならびにサブフレーム３３４およびサブフレーム３３５は、ＳＣ２２が同期信号送信することを可能にするためだけに使用される。時点２５から開始して、ＳＣ２２は、再びダウンリンクサブフレームを使用することによってＳＣ２１またはＳＣ２３にデータを送信することに切り替える。この場合、サブフレーム３３６、サブフレーム３３７からサブフレーム３３８、およびサブフレーム３３９からサブフレーム３４０のそれぞれは、ＰＤＳＣＨを含み、サブフレーム３４１およびサブフレーム３４２は特別なサブフレームである。時点２４から時点２５の期間内では、ＰＤＳＣＨを含むサブフレーム３３２およびサブフレーム３３４、ならびに特別なサブフレームフォーマットにあるサブフレーム３３３およびサブフレーム３３５が含まれる。したがって、時点２４から時点２５の期間内では、ＳＣ２１およびＳＣ２３もまた、ＳＣ２２によって送信される同期信号を検出し、同期信号に従ってＳＣ２２と同期することができる。したがって、時点２５の後、ＳＣ２１は、サブフレーム３１１から開始して、ＳＣ２２によって送信されるサブフレーム３３６を受信することができ、またはＳＣ２３は、サブフレーム３１２から開始して、ＳＣ２２によって送信されるサブフレーム３３６を受信することができる。このようにして、図２に示されているアイドル期間が回避され、それにより、小セルデバイス間でのバックホールの上でのデータ伝送中の遅延問題を解決する。
【００４５】
しかし、図３に示されている方法では、ＳＣ２２は、ＰＵＳＣＨを含むアップリンクサブフレームを送信するプロセス中、ダウンリンクサブフレームおよび特別なサブフレームを定期的に送信し、ダウンリンクサブフレームはＰＤＳＣＨを含み、ダウンリンクサブフレームおよび特別なサブフレームは、同期信号を送信するためだけに使用される。したがって、他のＳＣとＳＣ２２の間での同期は実装されるが、ダウンリンクサブフレームおよび特別なサブフレームが位置するサブフレームの構成柔軟性は、ＰＤＳＣＨを含むダウンリンクサブフレームを挿入し、ＰＵＳＣＨを含むアップリンクサブフレーム内に特別なサブフレームを挿入することによって犠牲になり、価値ある伝送リソースが無駄になる。図３では、時分割二重（Ｔｉｍｅ  Ｄｉｖｉｓｉｏｎ  Ｄｕｐｌｅｘ、ＴＤＤ）システムが、説明のための一例として使用されていることに留意されたい。周波数分割二重（Ｆｒｅｑｕｅｎｃｙ  Ｄｉｖｉｓｉｏｎ  Ｄｕｐｌｅｘ、ＦＤＤ）システムについては、システムが異なるフレームフォーマットを有する点に違いがあるが、前述の問題は、依然として存在する。
【００４６】
図４は、本発明の一実施形態による同期信号送信装置の第１の実施形態の概略構造図である。図４に示されているように、この実施形態における装置は、以下を含む。
【００４７】
第１のタイプのサブフレームを送信するように構成された送信モジュール４１であって、第１のタイプのサブフレームは、ＰＤＳＣＨおよび第１の同期チャネルを含み、第１の同期チャネルは、第１のＰＳＳおよび第１のＳＳＳを含み、第１のＰＳＳおよび第１のＳＳＳは、第１のＰＳＳおよび第１のＳＳＳを受信する第２のノードが第１のノードと同期することを可能にするように使用される、送信モジュール４１。
【００４８】
具体的には、前述の問題を解決するために、本発明のこの実施形態では、バックホールの上での小セルデバイス間でのデータ伝送中、データを送信する小セルデバイスがアップリンクサブフレームを送信しているときダウンリンクサブフレーム内に存在するだけの同期信号が追加され、その結果、データを送信する小セルデバイスは、伝送ステータスが変更されるとき同期信号を常に送信することができる。
【００４９】
この実施形態で提供される同期信号送信装置は、データを送信する第１のノード内に配置される。異種ネットワークアーキテクチャでデータを送信することができる任意のネットワークノードが第１のノードと呼ばれる。第１のノードのカバレッジエリア内では、第１のノードによって送信される同期信号を検出することができる任意のネットワークノードが第２のノードと呼ばれる。第１のノードがデータを送信する標的ノードが１つの第２のノードである。
【００５０】
第１のノードによって送信されるサブフレームは、２つのタイプ、すなわち第１のタイプのサブフレームおよび第２のタイプのサブフレームに分類され得る。本明細書における第１のタイプのサブフレームは、ＰＤＳＣＨおよび第１の同期チャネルを含み、第１の同期チャネルは、第１のタイプのサブフレーム内に定期的に位置する。ＴＤＤシステムおよびＦＤＤシステムについては、第１のタイプのサブフレームのフレーム構造が異なる。図５Ａは、ＴＤＤシステムにおける第１のタイプのサブフレームのフレーム構造の概略図である。図５Ｂは、ＦＤＤシステムにおける第１のタイプのサブフレームのフレーム構造の概略図である。図５Ａに示されているように、第１のタイプのサブフレームは、複数のＰＤＳＣＨサブフレーム５１および特別なサブフレーム５２を含み、特別なサブフレーム５２は、ダウンリンクパイロットタイムスロット（Ｄｏｗｎｌｉｎｋ  Ｐｉｌｏｔ  Ｔｉｍｅｓｌｏｔ、ＤｗＰＴＳ）５３、ガード期間（Ｇｕａｒｄ  Ｐｅｒｉｏｄ、ＧＰ）５４、およびアップリンクパイロットタイムスロット（Ｕｐｌｉｎｋ  Ｐｉｌｏｔ  Ｔｉｍｅｓｌｏｔ、ＵｗＰＴＳ）５５を含み、特別なサブフレーム５２は、第１のタイプのサブフレーム内に定期的に現れる。特別なサブフレーム５２に先行するＰＤＳＣＨサブフレーム５１の最後のシンボルは、第１のＳＳＳ５６を含み、特別なサブフレーム５２のＤｗＰＴＳ５３は、第１のＰＳＳ５７を含む。第１のＳＳＳ５６および第１のＰＳＳ５７は、第１のタイプのサブフレームの第１の同期チャネルを構成する。図５Ｂに示されているように、第１のタイプのサブフレームは、複数のＰＤＳＣＨサブフレーム５８を含み、複数のＰＤＳＣＨサブフレーム５８のうちのいくつかのＰＤＳＣＨサブフレームは、第１のＳＳＳ５６および第１のＰＳＳ５７を含む。第１のＳＳＳ５６および第１のＰＳＳ５７を含むＰＤＳＣＨサブフレームは、第１のタイプのサブフレーム内に定期的に現れ、ＰＤＳＣＨサブフレーム５８は、１４個のシンボルを含み、第１のＳＳＳ５６は、６番目のシンボル内に位置し、第１のＰＳＳ５７は、７番目のシンボル内に位置する。
【００５１】
本発明のこの実施形態で提供される同期信号送信装置は、送信モジュール４１を含む。送信モジュール４１は、第１のタイプのサブフレームを送信するように構成され、送信モジュール４１は、第１のタイプのサブフレームをバックホール経路の必要に従って第１のノードのカバレッジエリア内で第２のノードに送信する。第１のノードのカバレッジエリア内の別の第２のノードは、送信モジュール４１によって送信される第１のタイプのサブフレームの同期チャネルを検出することができる。第２のノードが第１のタイプのサブフレームの同期チャネルを検出し同期チャネルの第１のＳＳＳおよび第１のＰＳＳを受信した後で、第２のノードは、第１のＳＳＳおよび第１のＰＳＳに従って第１のノードと同期することができる。
【００５２】
第１のタイプのサブフレームの第１の同期チャネルは、必ずしも第１のタイプのサブフレームのすべてのサブフレーム内に存在せず、定期的に現れることに留意されたい。
【００５３】
処理モジュール４２は、第１のタイプのサブフレームを送信することから第２のタイプのサブフレームを送信することに切り替わるように送信モジュール４１を制御するように構成される。
【００５４】
具体的には、この実施形態で提供される同期信号送信装置は、処理モジュール４２をさらに含む。処理モジュール４２は、第１のタイプのサブフレームを送信することから第２のタイプのサブフレームを送信することに切り替わるように送信モジュール４１を制御するように構成される。任意選択で、処理モジュール４２は、同期信号送信装置の事前設定された構成を検出することによって、第１のタイプのサブフレームを送信することから第２のタイプのサブフレームを送信することに切り替えるかどうか決定してもよく、または処理モジュール４２は、同期信号送信装置が位置する第１のノードの外部環境を検出することによって、第１のタイプのサブフレームを送信することから第２のタイプのサブフレームを送信することに切り替えるかどうか決定してもよい。要するに、同期信号送信装置は、それぞれ第１のタイプのサブフレームを送信すること、および第２のタイプのサブフレームを送信することである２つの送信状態を含み、処理モジュール４２は、同期信号送信装置の内部状態または外部状態を検出することによってどの送信状態を使用するか決定する。
【００５５】
送信モジュール４１は、処理モジュール４２の制御下で第２のタイプのサブフレームを送信するようにさらに構成される。第２のタイプのサブフレームは、ＰＵＳＣＨおよび第２の同期チャネルを含み、第２の同期チャネルは、第２のＰＳＳまたは第２のＳＳＳを含み、第２のＰＳＳまたは第２のＳＳＳは、第２のＰＳＳまたは第２のＳＳＳを受信する第２のノードが第１のノードと同期することを可能にするように使用され、第２のＰＳＳは、第１のＰＳＳに従って生成され、第２のＳＳＳは、第１のＳＳＳに従って生成される。
【００５６】
具体的には、送信モジュール４１は、第２のタイプのサブフレームを送信するようにさらに構成され、第２のタイプのサブフレームは、任意の第２のノードに送信される。第２のタイプのサブフレームは、ＰＵＳＣＨおよび第２の同期チャネルを含み、第２の同期チャネルは、第２のＰＳＳまたは第２のＳＳＳを含む。第２のＰＳＳは、第１のＰＳＳに従って生成され、第２のＳＳＳは、第１のＳＳＳに従って生成される。すなわち、第２のタイプのサブフレームは、第２のＰＳＳまたは第２のＳＳＳを含み、第２のＰＳＳは、第１のタイプのサブフレームの第１のＰＳＳに従って生成され、第２のＳＳＳは、第１のタイプのサブフレームの第１のＳＳＳに従って生成される。
【００５７】
ＴＤＤシステムおよびＦＤＤシステムについては、第２のタイプのサブフレームのフレーム構造が異なる。しかし、これらのフレーム構造は共に、第２のＰＳＳまたは第２のＳＳＳの１つを定期的に含む。第２のＰＳＳまたは第２のＳＳＳは、第２のタイプのサブフレーム内の任意のロケーションに定期的に位置することがあり、第２のタイプのサブフレーム内の第２のＰＳＳまたは第２のＳＳＳが位置するロケーションは、第１のノードおよび第２のノード内で予め定義されている。第２のＰＳＳおよび第２のＳＳＳは、第１のＰＳＳおよび第１のＳＳＳに従ってそれぞれ生成される。したがって、第２のＰＳＳまたは第２のＳＳＳもまたブロードキャスト信号である。第１のノードのカバレッジエリア内の第２のノードのうち、第２のタイプのサブフレームを受信する第２のノードを除く別の第２のノードは、第２のタイプのサブフレームの第２のＰＳＳまたは第２のＳＳＳを検出することができる。第１のノードの伝送方式がＰＤＳＣＨを含む第１のタイプのサブフレームを送信することからＰＵＳＣＨを含む第２のタイプのサブフレームを送信することに切り替わるとき、第２のノードは、依然として最初に、第１のＰＳＳおよび第１のＳＳＳを検出するためのサイクル内で同期チャネルを検出する。検出されない場合、第２のノードは、第２のＰＳＳまたは第２のＳＳＳのサイクル内で第２のＰＳＳまたは第２のＳＳＳを検出し、このサイクルは、第２のＰＳＳまたは第２のＳＳＳを検出することができるように第１のノードおよび第２のノードによって予め定義される。第２のタイプのサブフレームの第２の同期チャネルは、第２のＰＳＳまたは第２のＳＳＳを含む。すなわち、第２の同期チャネルは第２のＰＳＳまたは第２のＳＳＳを含むが完全な同期信号を含まないので、第２の同期チャネルは第１の同期チャネルとは異なる。しかし、第２のタイプのサブフレームを受信する前に、第２のノードは、最初に第１のタイプのサブフレームを受信し、第１のタイプのサブフレームの第１の同期チャネルに従って第１のノードと同期する。第２のＰＳＳおよび第２のＳＳＳは、第１のＰＳＳおよび第１のＳＳＳに従ってそれぞれ生成されるので、第２のＰＳＳまたは第２のＳＳＳを得た後、第２のノードは、第２のＰＳＳまたは第２のＳＳＳが依然として第１のＰＳＳおよび第１のＳＳＳを送信する第１のノードによって送信されると決定することができ、その結果、第２のノードは、第２のＰＳＳまたは第２のＳＳＳに従って第１のノードとの同期を保つことができる。さらに、第２のタイプのサブフレームの第２の同期チャネルは、第２のＰＳＳまたは第２のＳＳＳを含むので、第２のタイプのサブフレームの第２の同期チャネルによって占有されるリソースを削減することができ、ＰＵＳＣＨサブフレームが送信されているときＰＤＳＣＨサブフレームおよび特別なサブフレームを追加する必要がない。したがって、同期信号送信装置がＰＵＳＣＨサブフレームを送信するとき、すべてのサブフレームを柔軟に構成することができる。
【００５８】
第２のタイプのサブフレームの第２の同期チャネルは、必ずしも第２のタイプのサブフレームのすべてのサブフレーム内に存在せず、定期的に現れることに留意すべきである。
【００５９】
送信モジュール４１が第２のタイプのサブフレームを送信した後、処理モジュール４２が第１のタイプのサブフレームを再び送信することに切り替えた場合、第２のノードはすでに第１のノードとの同期を保っているので、第１のタイプのサブフレームを受信する第２のノードは、第１のノードと同期するために第１のタイプのサブフレームの第１のＰＳＳおよび第１のＳＳＳを待つ必要なしに第１のノードによって送信されるデータを直接受信することができ、第１のノードは、同期を実施するために第２のノードを待つ必要なしにデータを直接送信することができる。したがって、小セルデバイス間でのバックホールの上でのデータ伝送中のアイドル期間が解消される。
【００６０】
第２のＰＳＳは、第１のＰＳＳに従って生成され、第２のＳＳＳは、第１のＳＳＳに従って生成されるので、第２のＰＳＳと第１のＰＳＳはいくつかの同じ特徴を有し、第２のＳＳＳと第１のＳＳＳはいくつかの同じ特徴を有する。第２のＰＳＳまたは第２のＳＳＳを受信する第２のノードは、第１のＰＳＳまたは第１のＳＳＳの特徴に従って第１のノードとの同期を保つことができ、その結果、第１のノードと第２のノードの間で新しい同期信号同期機構を再構築する必要がない。
【００６１】
さらに、第２のノードが第１のノードとの同期をより良好に保つことを可能にするために、処理モジュール４２は、第２のＰＳＳによって使用されるシーケンス、変調および符号化フォーマット、ならびに周波数領域リソースロケーションが第１のＰＳＳによって使用されるものと一致しているという規則に従って第２のＰＳＳを生成してもよく、第２のＳＳＳによって使用されるシーケンス、変調および符号化フォーマット、ならびに周波数領域リソースロケーションが第１のＳＳＳによって使用されるものと一致しているという規則に従って第２のＳＳＳを生成してもよい。第１のＰＳＳおよび第１のＳＳＳと比較して、第２のＰＳＳおよび第２のＳＳＳは、第２のタイプのサブフレームおよび第１のタイプのサブフレーム内の異なるタイムスロット内に位置する。送信モジュール４１が第１のタイプのサブフレームを送信するとき、第１の同期チャネルの第１のＰＳＳおよび第１のＳＳＳは定期的に送信され、その結果、第２のノードは、対応するサイクル内で第１のＰＳＳおよび第１のＳＳＳを検出することができる。しかし、送信モジュール４１が前述の規則に従って第２のタイプのサブフレームを送信するとき、第２のノードは、第２のＰＳＳおよび第２のＳＳＳを検出するためのサイクルに時間オフセットが追加されることを条件に、第２のＰＳＳまたは第２のＳＳＳを検出することができる。時間オフセットを除いて、第２のＰＳＳおよび第２のＳＳＳは、第１のＰＳＳおよび第１のＳＳＳと同じである。したがって、第２のノード内で同期信号の別のグループをさらに構成する必要がない。すなわち、第２のＰＳＳまたは第２のＳＳＳは、第１のＰＳＳおよび第１のＳＳＳを検出するためのサイクルに続く１つの時間間隔内でさらに検出される。
【００６２】
この実施形態では、第１のノードの伝送ステータスが切り換えられるとき第１のノードのカバレッジエリア内の第２のノードが依然として第１のノードと同期を保つことを可能にするように、第１のノードが、ＰＵＳＣＨを送信するとき第２のＰＳＳまたは第２のＳＳＳを送信する。さらに、第２のＰＳＳまたは第２のＳＳＳはＰＵＳＣＨ内に位置し、第２のＰＳＳまたは第２のＳＳＳのために固定されたＰＤＳＣＨサブフレームおよび固定された特別なサブフレームを構成する必要がない。したがって、小セルデバイス間でのバックホールの上でのデータ伝送中のアイドル期間が解消され、いくつかのサブフレームの構成柔軟性が維持される。
【００６３】
さらに、第２のタイプのサブフレームは、ＴＤＤ方式またはＦＤＤ方式で伝送され得る。ＴＤＤシステムおよびＦＤＤシステムにおける第２のタイプのサブフレームのフレーム構造は異なるので、第２のＰＳＳまたは第２のＳＳＳのロケーションは、第２のタイプのサブフレーム内で異なる。
【００６４】
第２のタイプのサブフレームがＴＤＤ方式で伝送される場合、第２のＰＳＳまたは第２のＳＳＳは、第２のタイプのサブフレームのいくつかのサブフレームに先行するＵｗＰＴＳシンボル内に配置され得る。第２のタイプのサブフレームがＦＤＤ方式で伝送される場合、第２のＰＳＳまたは第２のＳＳＳは、第２のタイプのサブフレームのあるサブフレームまたはいくつかのサブフレームの最後のシンボル内に配置され得る。第２のＰＳＳまたは第２のＳＳＳが第２のタイプのサブフレーム内に定期的に現れ、第１のＰＳＳおよび第１のＳＳＳが第１のタイプのサブフレーム内に定期的に現れる場合、第２のＰＳＳまたは第２のＳＳＳのサイクルは第１のＰＳＳまたは第１のＳＳＳのサイクルと同じである。前述の規則に従って構成された第２のＰＳＳまたは第２のＳＳＳは、第２のノードが１つの時間オフセットに従って第２のＰＳＳまたは第２のＳＳＳを検出することを可能にすることができる。第２のノードによって第２のＰＳＳまたは第２のＳＳＳを検出するための特定の方法について、以下の実施形態において詳細に述べる。
【００６５】
図６は、本発明の一実施形態による同期信号受信装置の第１の実施形態の概略構造図である。図６に示されているように、この実施形態における装置は、以下を含む。
【００６６】
受信モジュール６１は、第１のＰＳＳおよび第１のＳＳＳを受信するように構成された受信モジュール６１であって、第１のＰＳＳおよび第１のＳＳＳは、第１のノードによって送信される第１のタイプのサブフレーム内に位置し、第１のタイプのサブフレームは、ＰＤＳＣＨおよび第１の同期チャネルを含み、第１の同期チャネルは、第１のＰＳＳおよび第１のＳＳＳを含む。
【００６７】
具体的には、この実施形態で提供される同期信号受信装置は、ネットワークの第２のノード内に配置される。第２のノードは、データを送信する第１のノードのカバレッジエリア内に位置し、第１のノードによって送信される同期信号を検出することができる。
【００６８】
本発明のこの実施形態で提供される同期信号受信装置は、受信モジュール６１を含む。受信モジュール６１は、第１のＰＳＳおよび第１のＳＳＳを受信するように構成され、第１のＰＳＳおよび第１のＳＳＳは、第１のノードによって送信される第１のタイプのサブフレーム内に位置し、第１のタイプのサブフレームは、ＰＤＳＣＨおよび第１の同期チャネルを含み、第１の同期チャネルは、第１のＰＳＳおよび第１のＳＳＳを含む。第１のノードによって送信される第１のタイプのサブフレームは、第１のノードのカバレッジエリア内に位置する複数の第２のノードの１つの第２のノードに送信される。しかし、第１のノードのカバレッジエリア内の別のノードもまた、第１のタイプのサブフレームの第１のＰＳＳおよび第１のＳＳＳを検出することができる。
【００６９】
第１のタイプのサブフレームの第１の同期チャネルは、必ずしも第１のタイプのサブフレームのすべてのサブフレーム内に存在せず、定期的に現れることに留意すべきである。
【００７０】
処理モジュール６２は、第１のＰＳＳおよび第１のＳＳＳに従って第１のノードと同期するように構成される。
【００７１】
具体的には、本発明のこの実施形態で提供される同期信号受信装置は、処理モジュール６２をさらに含む。受信モジュール６１が第１のＰＳＳおよび第１のＳＳＳを受信した後で、処理モジュール６２は、第１のＰＳＳおよび第１のＳＳＳに従って第１のノードと同期することができる。
【００７２】
受信モジュール６１は、第２のＰＳＳまたは第２のＳＳＳを受信するようにさらに構成され、第２のＰＳＳまたは第２のＳＳＳは、第１のノードが第１のタイプのサブフレームを送信することから第２のタイプのサブフレームを送信することに切り替わった後で送信される第２のタイプのサブフレーム内に位置し、第２のタイプのサブフレームは、ＰＵＳＣＨおよび第２の同期チャネルを含み、第２の同期チャネルは、第２のＰＳＳまたは第２のＳＳＳを含み、第２のＰＳＳは、第１のＰＳＳに従って生成され、第２のＳＳＳは、第１のＳＳＳに従って生成される。
【００７３】
具体的には、受信モジュール６１は、第２のＰＳＳまたは第２のＳＳＳのいずれかを受信するようにさらに構成される。第２のＰＳＳおよび第２のＳＳＳは、第１のノードによって送信される第２のタイプのサブフレーム内に位置し、第２のタイプのサブフレームは、ＰＵＳＣＨおよび第２の同期チャネルを含み、第２の同期チャネルは、第２のＰＳＳまたは第２のＳＳＳを含み、第２のＰＳＳは、第１のＰＳＳに従って生成され、第２のＳＳＳは、第１のＳＳＳに従って生成される。第２のタイプのサブフレームは、第１のノードの伝送方式が切り換えられるとき送信される。第１のノードによって送信される第２のタイプのサブフレームは、第１のノードのカバレッジエリア内の複数の第２のノードの１つの第２のノードに送信される。しかし、第１のノードのカバレッジエリア内の別のノードもまた、第２のタイプのサブフレームの第２のＰＳＳまたは第２のＳＳＳを検出することができる。
【００７４】
ＴＤＤシステムおよびＦＤＤシステムについては、第２のタイプのサブフレームのフレーム構造が異なる。しかし、これらのフレーム構造は共に、第２のＰＳＳまたは第２のＳＳＳのいずれかを含む。第２のＰＳＳまたは第２のＳＳＳは、第２のタイプのサブフレーム内の任意のロケーションに定期的に位置することがあり、第２のタイプのサブフレーム内の第２のＰＳＳまたは第２のＳＳＳが位置するロケーションは、第１のノードおよび第２のノード内で予め定義されている。第２のＰＳＳおよび第２のＳＳＳは、第１のＰＳＳおよび第１のＳＳＳに従ってそれぞれ生成される。したがって、第２のＰＳＳまたは第２のＳＳＳもまたブロードキャスト信号である。第１のノードのカバレッジエリア内の第２のノードのうち、第２のタイプのサブフレームを受信する第２のノードを除く別の第２のノードは、第２のタイプのサブフレーム内の第２のＰＳＳまたは第２のＳＳＳを検出することができ、受信モジュール６１は、第２のＰＳＳまたは第２のＳＳＳを受信する。第１のノードの伝送方式がＰＤＳＣＨを含む第１のタイプのサブフレームを送信することからＰＵＳＣＨを含む第２のタイプのサブフレームを送信することに切り替わるとき、受信モジュール６１は、依然として最初に、第１のＰＳＳおよび第１のＳＳＳを受信するためのサイクル内で同期チャネルを受信する。検出されない場合、受信モジュール６１は、第２のＰＳＳまたは第２のＳＳＳのサイクル内で第２のＰＳＳまたは第２のＳＳＳを検出および受信し、このサイクルは、第２のＰＳＳまたは第２のＳＳＳを受信することができるように第１のノードおよび受信モジュール６１によって予め定義される。第２のタイプのサブフレームの第２の同期チャネルは、第２のＰＳＳまたは第２のＳＳＳを含む。すなわち、第２の同期チャネルは第２のＰＳＳまたは第２のＳＳＳのいずれかを含むが完全な同期信号を含まないので、第２の同期チャネルは第１の同期チャネルとは異なる。しかし、第２のタイプのサブフレームを受信する前に、受信モジュール６１は、最初に第１のタイプのサブフレームを受信し、処理モジュール６２は、第１のタイプのサブフレームの第１の同期チャネルに従って第１のノードと同期する。第２のＰＳＳおよび第２のＳＳＳは、第１のＰＳＳおよび第１のＳＳＳに従ってそれぞれ生成される。したがって、受信モジュール６１が第２のＰＳＳまたは第２のＳＳＳを得た後、処理モジュール６２は、第２のＰＳＳまたは第２のＳＳＳが依然として第１のＰＳＳおよび第１のＳＳＳを送信する第１のノードによって送信されると決定することができ、その結果、処理モジュール６２は、依然として第２のＰＳＳまたは第２のＳＳＳに従って第１のノードとの同期を保つことができる。さらに、第２のタイプのサブフレームの第２の同期チャネルは、第２のＰＳＳまたは第２のＳＳＳを含むので、第２のタイプのサブフレームの第２の同期チャネルによって占有されるリソースを削減することができ、ＰＵＳＣＨサブフレームが送信されているときＰＤＳＣＨサブフレームおよび特別なサブフレームを追加する必要がない。したがって、同期信号送信装置がＰＵＳＣＨサブフレームを送信するとき、すべてのサブフレームを柔軟に構成することができる。
【００７５】
第２のタイプのサブフレームの第２の同期チャネルは、必ずしも第２のタイプのサブフレームのすべてのサブフレーム内に存在せず、定期的に現れることに留意すべきである。
【００７６】
処理モジュール６２は、第２のＰＳＳまたは第２のＳＳＳに従って第１のノードとの同期を保つようにさらに構成される。
【００７７】
特に、第２のＰＳＳは、第１のＰＳＳに従って生成され、第２のＳＳＳは、第１のＳＳＳに従って生成されるので、第２のＰＳＳと第１のＰＳＳはいくつかの同じ特徴を有し、第２のＳＳＳと第１のＳＳＳはいくつかの同じ特徴を有する。第２の受信モジュール６３が第２のＰＳＳまたは第２のＳＳＳを受信した後で、処理モジュール６２は、第１のＰＳＳまたは第１のＳＳＳの特徴に従って第１のノードとの同期を保つことができ、その結果、第１のノードと第２のノードの間で新しい同期信号同期機構を再構築する必要がない。
【００７８】
さらに、第２のノードが第１のノードとの同期をより良好に保つことを可能にするために、第２のＰＳＳおよび第２のＳＳＳの規則を設定することは、以下のようになり得る。第２のＰＳＳによって使用されるシーケンス、変調および符号化フォーマット、ならびに周波数領域リソースロケーションが第１のＰＳＳによって使用されるものと一致しており、第２のＳＳＳによって使用されるシーケンス、変調および符号化フォーマット、ならびに周波数領域リソースロケーションが第１のＳＳＳによって使用されるものと一致している。第１のＰＳＳおよび第１のＳＳＳと比較して、第２のＰＳＳおよび第２のＳＳＳは、第２のタイプのサブフレームおよび第１のタイプのサブフレーム内の異なるタイムスロット内に位置する。第１のノードが第１のタイプのサブフレームを送信するとき、第１の同期チャネルの第１のＰＳＳおよび第１のＳＳＳは定期的に送信され、その結果、第２のノードは、対応するサイクル内で第１のＰＳＳおよび第１のＳＳＳを検出することができる。しかし、第１のノードが前述の規則に従って第２のタイプのサブフレームを送信するとき、第２のノードは、第２のＰＳＳおよび第２のＳＳＳを検出するためのサイクルに時間オフセットが追加されることを条件に、第２のＰＳＳまたは第２のＳＳＳを検出することができる。時間オフセットを除いて、第２のＰＳＳおよび第２のＳＳＳは、第１のＰＳＳおよび第１のＳＳＳと同じである。したがって、第２のノード内で同期信号の別のグループをさらに構成する必要がない。すなわち、第２のＰＳＳまたは第２のＳＳＳは、第１のＰＳＳおよび第１のＳＳＳを検出するためのサイクルに続く１つの時間間隔内で再び検出される。
【００７９】
処理モジュール６２が第２のＰＳＳまたは第２のＳＳＳに従って第１のノードとの同期を保った後で、受信モジュール６１が第１のノードによって送信される第１のタイプのサブフレームを再び受信する場合、第２のノードは、常に第１のノードとの同期を保っているので、第２のノードは、第１のノードと同期するために第１のタイプのサブフレームの第１のＰＳＳおよび第１のＳＳＳを待つ必要なしに第１のノードによって送信されるデータを直接受信することができ、第１のノードは、同期を実施するために第２のノードを待つ必要なしにデータを直接送信することができる。したがって、小セルデバイス間でのバックホールの上でのデータ伝送中のアイドル期間が解消される。
【００８０】
この実施形態では、第１のノードの伝送ステータスが切り換えられるとき第１のノードのカバレッジエリア内の第２のノードが依然として第１のノードと同期を保つことを可能にするように、第１のノードが、ＰＵＳＣＨを送信するとき第２のＰＳＳまたは第２のＳＳＳを送信する。さらに、第２のＰＳＳまたは第２のＳＳＳはＰＵＳＣＨ内に位置し、第２のＰＳＳまたは第２のＳＳＳのために固定されたＰＤＳＣＨサブフレームおよび固定された特別なサブフレームを構成する必要がない。したがって、小セルデバイス間でのバックホールの上でのデータ伝送中のアイドル期間が解消され、いくつかのサブフレームの構成柔軟性が維持される。
【００８１】
さらに、処理モジュール６２は、第２のＰＳＳまたは第２のＳＳＳを第２のタイプのサブフレームから抽出してから、第２のＰＳＳまたは第２のＳＳＳに従って第１のノードとの同期を保つようにさらに構成される。具体的には、第２のタイプのサブフレームの第２の同期チャネル上で第２のＰＳＳまたは第２のＳＳＳを検出した後で、処理モジュール６２は、第２のＰＳＳまたは第２のＳＳＳを抽出することをさらに必要とする。第１のタイプのサブフレームと第２のタイプのサブフレームの異なるフレーム構造に従って、第２のＰＳＳまたは第２のＳＳＳのサイクルと第１のノードによって送信される第１のＰＳＳおよび第１のＳＳＳのサイクルとの間に時間オフセットがあり得るので、処理モジュール６２は、異なる規則に従って第２のＰＳＳまたは第２のＳＳＳを抽出することを必要とする。
【００８２】
特に、ＴＤＤシステムおよびＦＤＤシステムでは、第１のタイプのサブフレームと第２のタイプのサブフレームのフレーム構造が異なっており、これは主に３つの場合に分類される。場合１：第１のタイプのサブフレームがＴＤＤ方式で伝送され、第２のタイプのサブフレームもまたＴＤＤ方式で伝送される。場合２：第１のタイプのサブフレームがＦＤＤ方式で伝送され、第２のタイプのサブフレームもまたＦＤＤ方式で伝送される。場合３：第１のタイプのサブフレームがＴＤＤ方式で伝送され、第２のタイプのサブフレームがＦＤＤ方式で伝送される。
【００８３】
場合１では、すなわち、第１のタイプのサブフレームがＴＤＤ方式で伝送され、第２のタイプのサブフレームもまたＴＤＤ方式で伝送される。処理モジュール６２は、第１のＳＳＳを得るためのサイクルが１伝送時間間隔（Ｔｒａｎｓｍｉｓｓｉｏｎ  Ｔｉｍｅ  Ｉｎｔｅｒｖａｌ、ＴＴＩ）遅延されているとき第２のＰＳＳまたは第２のＳＳＳを第２のタイプのサブフレームから抽出するように特に構成され、第２のＰＳＳまたは第２のＳＳＳは、第２のタイプのサブフレームのＵｗＰＴＳシンボル内に位置する。図７Ａおよび図７Ｂは、説明のための一例として使用される。図７Ａは、第１のタイプのサブフレームがＴＤＤ方式で伝送され、第２のタイプのサブフレームもまたＴＤＤ方式で伝送され、第２のタイプのサブフレームが第２のＳＳＳを含むフレーム構造の概略図である。図７Ｂは、第１のタイプのサブフレームがＴＤＤ方式で伝送され、第２のタイプのサブフレームもまたＴＤＤ方式で伝送され、第２のタイプのサブフレームが第２のＰＳＳを含むフレーム構造の概略図である。
【００８４】
図７Ａに示されているように、第１のタイプのサブフレームは、ＰＤＳＣＨ７１および特別なサブフレーム７２を含み、第１のＳＳＳ７３は、特別なサブフレーム７２に先行するＰＤＳＣＨ７１の最後のシンボル内に位置し、第１のＰＳＳ７４は、ＤｗＰＴＳ７５内に位置する。第２のタイプのサブフレームは、ＰＵＳＣＨ７６および特別なサブフレーム７２を含み、第２のＳＳＳ７７は、ＵｗＰＴＳ７８内に位置する。ＴＤＤにおけるフレーム構造から、特別なサブフレーム７２はＤｗＰＴＳ７５、ＧＰ７９、およびＵｗＰＴＳ７８を含み、特別なサブフレーム７２は、１ＴＴＩを全部占有し、特別なサブフレーム７２が第１のタイプのサブフレームおよび第２のタイプのサブフレーム内に現れるサイクルは同じであることがわかる。したがって、第１のＳＳＳ７３に比べて、第２のＳＳＳ７７は、サイクルにおいて１ＴＴＩ遅延される。図７Ｂに示されているように、第１のタイプのサブフレームは、ＰＤＳＣＨ７１および特別なサブフレーム７２を含み、第１のＳＳＳ７３は、特別なサブフレーム７２に先行するＰＤＳＣＨ７１の最後のシンボル内に位置し、第１のＰＳＳ７４は、ＤｗＰＴＳ７５内に位置する。第２のタイプのサブフレームは、ＰＵＳＣＨ７６および特別なサブフレーム７２を含み、第２のＰＳＳ７０は、ＵｗＰＴＳ７８内に位置する。ＴＤＤにおけるフレーム構造から、特別なサブフレーム７２はＤｗＰＴＳ７５、ＧＰ７９、およびＵｗＰＴＳ７８を含み、特別なサブフレーム７２は、１ＴＴＩを全部占有し、特別なサブフレーム７２が第１のタイプのサブフレームおよび第２のタイプのサブフレーム内に現れるサイクルは同じであることがわかる。したがって、第１のＳＳＳ７３に比べて、第２のＰＳＳ７０は、サイクルにおいて１ＴＴＩ遅延される。したがって、第２の処理モジュール６３は、第１のＳＳＳ７３を得るためのサイクルが１ＴＴＩ遅延されているとき第２のＰＳＳ７０または第２のＳＳＳ７７を第２のタイプのサブフレームから抽出することができる。
【００８５】
場合２では、すなわち、第１のタイプのサブフレームがＦＤＤ方式で伝送され、第２のタイプのサブフレームもまたＦＤＤ方式で伝送される。処理モジュール６２は、第１のＰＳＳを得るためのサイクルが０．５ＴＴＩ遅延されているとき第２のＰＳＳまたは第２のＳＳＳを第２のタイプのサブフレームから抽出するように特に構成され、第２のＰＳＳまたは第２のＳＳＳは、第２のタイプのサブフレームの最後のシンボル内に位置する。図８Ａおよび図８Ｂは、説明のための一例として使用される。図８Ａは、第１のタイプのサブフレームがＦＤＤ方式で伝送され、第２のタイプのサブフレームもまたＦＤＤ方式で伝送され、第２のタイプのサブフレームが第２のＰＳＳを含むフレーム構造の概略図である。図８Ｂは、第１のタイプのサブフレームがＦＤＤ方式で伝送され、第２のタイプのサブフレームもまたＦＤＤ方式で伝送され、第２のタイプのサブフレームが第２のＳＳＳを含むフレーム構造の概略図である。
【００８６】
図８Ａに示されているように、第１のタイプのサブフレームは、ＰＤＳＣＨ８１を含み、ＰＤＳＣＨ８１は、全部で１４個のシンボルを含み、第１のＳＳＳ８２は、いくつかのＰＤＳＣＨ８１の６番目のシンボル内に定期的に位置し、第１のＰＳＳ８３は、ＰＤＳＣＨ８１の７番目のシンボル内に定期的に位置する。第２のタイプのサブフレームは、ＰＵＳＣＨ８４を含み、ＰＵＳＣＨ８４は、全部で１４個のシンボルを含み、第２のＰＳＳ８５は、いくつかのＰＵＳＣＨ８４の最後のシンボル内に定期的に位置する。第２のＰＳＳ８５を含むＰＵＳＣＨ８４のサイクルは、第１のＰＳＳ８３および第１のＳＳＳ８２を含むＰＤＳＣＨ８１のサイクルと同じである。１つのＰＤＳＣＨ８１または１つのＰＵＳＣＨ８４が１ＴＴＩを占有する。しかし、第１のＰＳＳ８３と比べて、第２のＰＳＳ８５は、７個のシンボル、すなわち０．５ＴＴＩ遅延される。図８Ｂに示されているように、第１のタイプのサブフレームは、ＰＤＳＣＨ８１を含み、ＰＤＳＣＨ８１は、全部で１４個のシンボルを含み、第１のＳＳＳ８２は、いくつかのＰＤＳＣＨ８１の６番目のシンボル内に定期的に位置し、第１のＰＳＳ８３は、ＰＤＳＣＨ８１の７番目のシンボル内に定期的に位置する。第２のタイプのサブフレームは、ＰＵＳＣＨ８４を含み、ＰＵＳＣＨ８４は、全部で１４個のシンボルを含み、第２のＳＳＳ８６は、いくつかのＰＵＳＣＨ８４の最後のシンボル内に定期的に位置する。第２のＳＳＳ８６を含むＰＵＳＣＨ８４のサイクルは、第１のＰＳＳ８３および第１のＳＳＳ８２を含むＰＤＳＣＨ８１のサイクルと同じである。１つのＰＤＳＣＨ８１または１つのＰＵＳＣＨ８４が１ＴＴＩを占有する。しかし、第１のＰＳＳ８３と比べて、第２のＳＳＳ８６は、７個のシンボル、すなわち０．５ＴＴＩ遅延される。したがって、第２の受信モジュール６３は、第１のＰＳＳ８３を得るためのサイクルが０．５ＴＴＩ遅延されているとき第２のＰＳＳ８５または第２のＳＳＳ８６を第２のタイプのサブフレームから抽出することができる。
【００８７】
場合３では、すなわち、第１のタイプのサブフレームがＴＤＤ方式で伝送され、第２のタイプのサブフレームがＦＤＤ方式で伝送される。処理モジュール６２は、第１のＳＳＳを得るためのサイクル内で第２のＰＳＳまたは第２のＳＳＳを第２のタイプのサブフレームから抽出するように特に構成され第２のＰＳＳまたは第２のＳＳＳは、第２のタイプのサブフレームの最後のシンボル内に位置する。図９Ａおよび図９Ｂは、説明のための一例として使用される。図９Ａは、第１のタイプのサブフレームがＴＤＤ方式で伝送され、第２のタイプのサブフレームがＦＤＤ方式で伝送され、第２のタイプのサブフレームが第２のＳＳＳを含むフレーム構造の概略図である。図９Ｂは、第１のタイプのサブフレームがＴＤＤ方式で伝送され、第２のタイプのサブフレームがＦＤＤ方式で伝送され、第２のタイプのサブフレームが第２のＰＳＳを含むフレーム構造の概略図である。
【００８８】
図９Ａに示されているように、第１のタイプのサブフレームは、ＰＤＳＣＨ９１および特別なサブフレーム９２を含み、特別なサブフレーム９２はＤｗＰＴＳ９３、ＧＰ９４、およびＵｗＰＴＳ９５を含み、第１のＳＳＳ９６は、特別なサブフレーム９２に先行するＰＤＳＣＨ９１の最後のシンボル内に位置し、第１のＰＳＳ９７は、ＤｗＰＴＳ９３内に位置する。第２のタイプのサブフレームは、ＰＵＳＣＨ９８を含み、ＰＵＳＣＨ９８は、全部で１４個のシンボルを含み、第２のＳＳＳ９９は、いくつかのＰＵＳＣＨ９８の最後のシンボル内に定期的に位置する。第２のＳＳＳ９９を含むＰＵＳＣＨ９８のサイクルは、第１のＳＳＳ９６を含むＰＤＳＣＨ９１のサイクルと同じである。１つのＰＤＳＣＨ９１または１つのＰＵＳＣＨ９８が１ＴＴＩを占有する。したがって、第２のＳＳＳ９９は、第１のＳＳＳ９６のサイクル内に位置する。図９Ｂに示されているように、第１のタイプのサブフレームは、ＰＤＳＣＨ９１および特別なサブフレーム９２を含み、特別なサブフレームはＤｗＰＴＳ９３、ＧＰ９４、およびＵｗＰＴＳ９５を含み、第１のＳＳＳ９６は、特別なサブフレーム９２に先行するＰＤＳＣＨ９１の最後のシンボル内に位置し、第１のＰＳＳ９７は、ＤｗＰＴＳ９３内に位置する。第２のタイプのサブフレームは、ＰＵＳＣＨ９８を含み、ＰＵＳＣＨ９８は、全部で１４個のシンボルを含み、第２のＰＳＳ９０は、いくつかのＰＵＳＣＨ９８の最後のシンボル内に定期的に位置する。第２のＰＳＳ９０を含むＰＵＳＣＨ９８のサイクルは、第１のＳＳＳ９６を含むＰＤＳＣＨ９１のサイクルと同じである。１つのＰＤＳＣＨ９１または１つのＰＵＳＣＨ９８が１ＴＴＩを占有する。したがって、第２のＰＳＳ９０は、第１のＳＳＳ９６のサイクル内に位置する。したがって、第２の受信モジュール６３は、第１のＳＳＳ９６を得るためのサイクル内で第２のＰＳＳ９０または第２のＳＳＳ９９を第２のタイプのサブフレームから抽出することができる。
【００８９】
さらに、図６に示されている実施形態では、第２のＰＳＳまたは第２のＳＳＳを第２のタイプのサブフレームから抽出した後で、処理モジュール６２は、第２のＰＳＳまたは第２のＳＳＳだけが抽出される場合、第１のノードの伝送方式が切り替えられたと決定するようにさらに構成される。
【００９０】
具体的には、処理モジュール６２は、同期信号を定期的に検出する。処理モジュール６２が第１のＰＳＳと第１のＳＳＳを同時に検出した場合、処理モジュール６２は、第１のノードが第１のタイプのサブフレームを送信していると決定することができる。処理モジュール６２が第２のＰＳＳまたは第２のＳＳＳの一方だけを検出した場合、処理モジュール６２は、第１のノードの伝送方式が切り替えられた、すなわち、第１のノードが第２のタイプのサブフレームを送信していると決定することができる。
【００９１】
さらに、第１のノードの伝送方式が切り替えられたと処理モジュール６２が決定した場合、処理モジュール６２は、第２のタイプのサブフレームのＰＵＳＣＨを受信することを省くようにさらに構成される。具体的には、第１のノードの伝送方式が切り替えられたと処理モジュール６２が決定した場合、処理モジュール６２は、第２のタイプのサブフレームの第２のＰＳＳまたは第２のＳＳＳに従ってのみ第１のノードとの同期を保つことを必要とする。
【００９２】
図１０は、本発明の一実施形態による同期信号送信方法の第１の実施形態の流れ図である。図１０に示されているように、この実施形態で提供される同期信号送信方法は、以下を含む。
【００９３】
ステップＳ１０１：第１のノードが第１のタイプのサブフレームを送信し、第１のタイプのサブフレームは、ＰＤＳＣＨおよび第１の同期チャネルを含み、第１の同期チャネルは、第１のＰＳＳおよび第１のＳＳＳを含み、第１のＰＳＳおよび第１のＳＳＳは、第１のＰＳＳおよび第１のＳＳＳを受信する第２のノードが第１のノードと同期することを可能にするように使用される。
【００９４】
ステップＳ１０２：第１のノードが第１のタイプのサブフレームを送信することから第２のタイプのサブフレームを送信することに切り替える。
【００９５】
ステップＳ１０３：第１のノードが第２のタイプのサブフレームを送信し、第２のタイプのサブフレームは、ＰＵＳＣＨおよび第２の同期チャネルを含み、第２の同期チャネルは、第２のＰＳＳまたは第２のＳＳＳを含み、第２のＰＳＳまたは第２のＳＳＳは、第２のＰＳＳまたは第２のＳＳＳを受信する第２のノードが第１のノードとの同期を保つことを可能にするように使用され、第２のＰＳＳは、第１のＰＳＳに従って生成され、第２のＳＳＳは、第１のＳＳＳに従って生成される。
【００９６】
この実施形態における同期信号送信方法は、図４に示されている同期信号送信装置の処理を完了するために使用される。方法と装置の実装原理および技術的効果は同様であり、詳細は、本明細書に繰り返し記載しない。
【００９７】
さらに、図１０に示されている実施形態では、第１の同期チャネルは、第１のタイプのサブフレーム内に定期的に位置し、第２の同期チャネルは、第２のタイプのサブフレーム内に定期的に位置する。
【００９８】
さらに、図１０に示されている実施形態では、第２のＰＳＳによって使用されるシーケンス、変調および符号化フォーマット、ならびに周波数領域リソースロケーションが第１のＰＳＳによって使用されるものと一致しており、第２のＳＳＳによって使用されるシーケンス、ならびに変調および符号化フォーマット、ならびに周波数領域リソースロケーションが第１のＳＳＳによって使用されるものと一致している。
【００９９】
さらに、図１０に示されている実施形態では、第２のタイプのサブフレームがＴＤＤ方式で伝送される場合、第２のＰＳＳまたは第２のＳＳＳは、第２のタイプのサブフレームのＵｗＰＴＳシンボル内に位置する。
【０１００】
さらに、図１０に示されている実施形態では、第２のタイプのサブフレームがＦＤＤ方式で伝送される場合、第２のＰＳＳまたは第２のＳＳＳは、第２のタイプのサブフレームの最後のシンボル内に位置する。
【０１０１】
図１１は、本発明の一実施形態による同期信号受信方法の第１の実施形態の流れ図である。図１１に示されているように、この実施形態で提供される同期信号受信方法は、以下を含む。
【０１０２】
ステップＳ１１１：第２のノードが第１のＰＳＳおよび第１のＳＳＳを受信し、第１のＰＳＳおよび第１のＳＳＳは、第１のノードによって送信される第１のタイプのサブフレーム内に位置し、第１のタイプのサブフレームは、ＰＤＳＣＨおよび第１の同期チャネルを含み、第１の同期チャネルは、第１のＰＳＳおよび第１のＳＳＳを含む。
【０１０３】
ステップＳ１１２：第２のノードが、第１のＰＳＳおよび第１のＳＳＳに従って第１のノードと同期する。
【０１０４】
ステップＳ１１３：第２のノードが第２のＰＳＳまたは第２のＳＳＳを受信し、第２のＰＳＳまたは第２のＳＳＳは、第１のノードが第１のタイプのサブフレームを送信することから第２のタイプのサブフレームを送信することに切り替わった後で送信される第２のタイプのサブフレーム内に位置し、第２のタイプのサブフレームは、ＰＵＳＣＨおよび第２の同期チャネルを含み、第２の同期チャネルは、第２のＰＳＳまたは第２のＳＳＳを含み、第２のＰＳＳは、第１のＰＳＳに従って生成され、第２のＳＳＳは、第１のＳＳＳに従って生成される。
【０１０５】
ステップＳ１１４：第２のノードは、第２のＰＳＳまたは第２のＳＳＳに従って第１のノードとの同期を保つ。
【０１０６】
この実施形態における同期信号受信方法は、図６に示されている同期信号受信装置の処理を完了するために使用される。方法と装置の実装原理および技術的効果は同様であり、詳細は、本明細書に繰り返し記載しない。
【０１０７】
さらに、図１１に示されている実施形態では、第１の同期チャネルは、第１のタイプのサブフレーム内に定期的に位置し、第２の同期チャネルは、第２のタイプのサブフレーム内に定期的に位置する。
【０１０８】
さらに、図１１に示されている実施形態では、第２のＰＳＳによって使用されるシーケンス、変調および符号化フォーマット、ならびに周波数領域リソースロケーションが第１のＰＳＳによって使用されるものと一致しており、第２のＳＳＳによって使用されるシーケンス、ならびに変調および符号化フォーマット、ならびに周波数領域リソースロケーションが第１のＳＳＳによって使用されるものと一致している。
【０１０９】
図１２は、本発明の一実施形態による同期信号受信方法の第２の実施形態の流れ図である。図１２に示されているように、この実施形態で提供される同期信号受信方法は、以下を含む。
【０１１０】
ステップＳ１２１：第２のノードが第１のＰＳＳおよび第１のＳＳＳを受信し、第１のＰＳＳおよび第１のＳＳＳは、第１のノードによって送信される第１のタイプのサブフレーム内に位置し、第１のタイプのサブフレームは、ＰＤＳＣＨおよび第１の同期チャネルを含み、第１の同期チャネルは、第１のＰＳＳおよび第１のＳＳＳを含む。
【０１１１】
ステップＳ１２２：第２のノードが、第１のＰＳＳおよび第１のＳＳＳに従って第１のノードと同期する。
【０１１２】
ステップＳ１２３：第２のノードが第２のＰＳＳまたは第２のＳＳＳを受信し、第２のＰＳＳまたは第２のＳＳＳは、第１のノードが第１のタイプのサブフレームを送信することから第２のタイプのサブフレームを送信することに切り替わった後で送信される第２のタイプのサブフレーム内に位置し、第２のタイプのサブフレームは、ＰＵＳＣＨおよび第２の同期チャネルを含み、第２の同期チャネルは、第２のＰＳＳまたは第２のＳＳＳを含み、第２のＰＳＳは、第１のＰＳＳに従って生成され、第２のＳＳＳは、第１のＳＳＳに従って生成される。
【０１１３】
ステップＳ１２４：第２のノードが、第２のＰＳＳまたは第２のＳＳＳを第２のタイプのサブフレームから抽出する。
【０１１４】
ステップＳ１２５：第２のノードは、第２のＰＳＳまたは第２のＳＳＳに従って第１のノードとの同期を保つ。
【０１１５】
さらに、第１のタイプのサブフレームがＴＤＤ方式で伝送され、第２のタイプのサブフレームもまたＴＤＤ方式で伝送される場合、ステップＳ１２４は、第２のノードが、第１のＳＳＳを得るためのサイクルが１ＴＴＩ遅延されているとき第２のＰＳＳまたは第２のＳＳＳを第２のタイプのサブフレームから抽出し、第２のＰＳＳまたは第２のＳＳＳは、第２のタイプのサブフレームのＵｗＰＴＳシンボル内に位置することを含む。
【０１１６】
さらに、第１のタイプのサブフレームがＦＤＤ方式で伝送され、第２のタイプのサブフレームもまたＦＤＤ方式で伝送される場合、ステップＳ１２４は、第２のノードが、第１のＰＳＳを得るためのサイクルが０．５ＴＴＩ遅延されているとき第２のＰＳＳまたは第２のＳＳＳを第２のタイプのサブフレームから抽出し、第２のＰＳＳまたは第２のＳＳＳは、第２のタイプのサブフレームの最後のシンボル内に位置することを含む。
【０１１７】
さらに、第１のタイプのサブフレームがＴＤＤ方式で伝送され、第２のタイプのサブフレームがＦＤＤ方式で伝送される場合、ステップＳ１２４は、第２のノードが、第１のＳＳＳを得るためのサイクル内で第２のＰＳＳまたは第２のＳＳＳを第２のタイプのサブフレームから抽出し、第２のＰＳＳまたは第２のＳＳＳは、第２のタイプのサブフレームの最後のシンボル内に位置することを含む。
【０１１８】
さらに、図１２に示されている実施形態では、ステップＳ１２５の後で、この方法は、第２のノードが第２のＰＳＳまたは第２のＳＳＳだけを受信した場合、第２のノードは、第１のノードの伝送方式が切り替えられたと決定することをさらに含む。第１のノードの伝送方式が切り替えられたと第２のノードが決定した後で、この方法は、第２のノードが第２のタイプのサブフレームのＰＵＳＣＨを受信しないと決定することをさらに含む。
【０１１９】
本発明の実施形態における送信モジュール４１は、第１のノードの送信機に対応していることがあり、または第１のノードのトランシーバに対応していることがあることに留意されたい。処理モジュール４２は、第１のノードのプロセッサに対応していることがある。本明細書におけるプロセッサは、中央処理ユニット（Ｃｅｎｔｒａｌ  Ｐｒｏｃｅｓｓｉｎｇ  Ｕｎｉｔ、ＣＰＵ）、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または本発明の実施形態を実装するように構成された１もしくは複数の集積回路であってよい。第１のノードは、メモリをさらに含んでもよい。メモリは、命令コードを記憶するように構成され、プロセッサは、メモリ内の命令コードを呼び出し、本発明の実施形態における送信モジュール４１および処理モジュール４２を、前述の動作を実施するように制御する。
【０１２０】
本発明の実施形態における受信モジュール６１は、第２のノードの受信機に対応していることがあり、または第２のノードのトランシーバに対応していることがある。処理モジュール６２は、第２のノードのプロセッサに対応していることがある。本明細書におけるプロセッサは、ＣＰＵ、またはＡＳＩＣ、または本発明の実施形態を実装するように構成された１もしくは複数の集積回路であってよい。第２のノードは、メモリをさらに含んでもよい。メモリは、命令コードを記憶するように構成され、プロセッサは、メモリ内の命令コードを呼び出し、本発明の実施形態における受信モジュール６１および処理モジュール６２を、前述の動作を実施するように制御する。
【０１２１】
方法実施形態のステップのすべてまたは一部が関連のハードウェアに命令するプログラムによって実施されてよいことを、当業者は理解できてよい。プログラムは、コンピュータ可読記憶媒体内に記憶されてよい。プログラムが実行されたとき、方法実施形態のステップが実施される。前述の記憶媒体は、ＲＯＭ、ＲＡＭ、磁気ディスク、または光ディスクなど、プログラムコードを記憶することができる任意の媒体を含む。
【０１２２】
最後に、前述の実施形態は、本発明の技術的解決策について述べるためのものにすぎず、本発明を限定するためのものではないことに留意すべきである。本発明について前述の実施形態を参照して詳細に述べられているが、当業者なら、依然として前述の実施形態に記載の技術的解決策に対して修正を加えることも、その技術的特徴の一部またはすべてに対する均等な置き換えをしてもよいことを理解されたい。したがって、本発明の保護範囲は、特許請求の範囲の保護範囲の影響下にあるものとする。
【図１】
0006446535.tif 000002
【図２】
0006446535.tif 000003
【図３】
0006446535.tif 000004
【図４】
0006446535.tif 000005
【図５Ａ】
0006446535.tif 000006
【図５Ｂ】
0006446535.tif 000007
【図６】
0006446535.tif 000008
【図７Ａ】
0006446535.tif 000009
【図７Ｂ】
0006446535.tif 000010
【図８Ａ】
0006446535.tif 000011
【図８Ｂ】
0006446535.tif 000012
【図９Ａ】
0006446535.tif 000013
【図９Ｂ】
0006446535.tif 000014
【図１０】
0006446535.tif 000015
【図１１】
0006446535.tif 000016
【図１２】
0006446535.tif 000017